(57)【要約】本明細書は、無線通信システムにおけるチャネル状態情報（Ｃｈａｎｎｅｌ  Ｓｔａｔｅ  Ｉｎｆｏｒｍａｔｉｏｎ、ＣＳＩ）を測定及び報告する方法、並びにこのための装置を提供する。具体的に、無線通信システムにおける端末がＣＳＩを報告する（ｒｅｐｏｒｔｉｎｇ）方法は、ＣＳＩ報告に関するＣＳＩ報告設定情報（ＣＳＩ  ｒｅｐｏｒｔｉｎｇ  ｓｅｔｔｉｎｇ  ｉｎｆｏｒｍａｔｉｏｎ）を受信する過程と、一つ以上のチャネル状態情報参照信号（ＣＳＩ−Ｒｅｆｅｒｅｎｃｅ  Ｓｉｇｎａｌ、ＣＳＩ−ＲＳ）を受信する過程と、前記一つ以上のＣＳＩ−ＲＳの少なくとも一つの特定のＣＳＩ−ＲＳによって推定された測定値（ｍｅａｓｕｒｅｍｅｎｔ  ｖａｌｕｅ）を用いて前記ＣＳＩ報告を行う過程と、を含み、前記ＣＳＩ報告設定情報は、前記少なくとも一つの特定のＣＳＩ−ＲＳは、前記測定値を推定するための測定区間（ｍｅａｓｕｒｅｍｅｎｔ  ｉｎｔｅｒｖａｌ）を設定する間隔情報（ｇａｐ  ｉｎｆｏｒｍａｔｉｏｎ）及び前記ＣＳＩ報告の実行時点に基づいて決定され得る。【選択図】図１３
2020508005.tif 000002
【特許請求の範囲】
【請求項１】
無線通信システムにおける端末がチャネル状態情報（Ｃｈａｎｎｅｌ  Ｓｔａｔｅ  Ｉｎｆｏｒｍａｔｉｏｎ、ＣＳＩ）を報告する（ｒｅｐｏｒｔｉｎｇ）方法において、
ＣＳＩ報告に関するＣＳＩ報告設定情報（ＣＳＩ  ｒｅｐｏｒｔｉｎｇ  ｓｅｔｔｉｎｇ  ｉｎｆｏｒｍａｔｉｏｎ）を受信する過程と、
一つ以上のチャネル状態情報参照信号（ＣＳＩ−Ｒｅｆｅｒｅｎｃｅ  Ｓｉｇｎａｌ、ＣＳＩ−ＲＳ）を受信する過程と、
前記一つ以上のＣＳＩ−ＲＳの少なくとも一つの特定のＣＳＩ−ＲＳによって推定された測定値（ｍｅａｓｕｒｅｍｅｎｔ  ｖａｌｕｅ）を用いて前記ＣＳＩ報告を行う過程と、を含み、
前記少なくとも一つの特定のＣＳＩ−ＲＳは、前記測定値を推定するための測定区間（ｍｅａｓｕｒｅｍｅｎｔ  ｉｎｔｅｒｖａｌ）を設定する間隔情報（ｇａｐ  ｉｎｆｏｒｍａｔｉｏｎ）及び前記ＣＳＩ報告の実行時点に基づいて決定される、ＣＳＩ報告方法。
【請求項２】
前記少なくとも一つの特定のＣＳＩ−ＲＳは、前記ＣＳＩ報告の実行時点を基準に前記間隔情報によって指示される時点以前に受信される、請求項１に記載のＣＳＩ報告方法。
【請求項３】
前記端末の間隔情報を基地局に報告する過程をさらに含み、
前記間隔情報は、前記端末の能力情報に基づいて決定される、請求項１に記載のＣＳＩ報告方法。
【請求項４】
前記間隔情報は、前記基地局によって、前記端末が報告するＣＳＩの類型（ｔｙｐｅ）を考慮して設定される、請求項１に記載のＣＳＩ報告方法。
【請求項５】
前記ＣＳＩ報告設定情報は、前記ＣＳＩ報告に対する測定制限（ｍｅａｓｕｒｅｍｅｎｔ  ｒｅｓｔｒｉｃｔｉｏｎ）の可否を示す指示情報をさらに含む、請求項１に記載のＣＳＩ報告方法。
【請求項６】
前記一つ以上のＣＳＩ−ＲＳは、周期的（ｐｅｒｉｏｄｉｃ）又は半持続的（ｓｅｍｉ−ｐｅｒｓｉｓｔｅｎｔ）に設定されたＣＳＩ−ＲＳに該当し、
前記指示情報がオン（ＯＮ）を指示する場合、前記少なくとも一つの特定のＣＳＩ−ＲＳは、前記ＣＳＩ報告の実行時点を基準に前記間隔情報によって指示される時点以前に受信される最後（ｌａｓｔ）のＣＳＩ−ＲＳに該当する、請求項５に記載のＣＳＩ報告方法。
【請求項７】
前記一つ以上のＣＳＩ−ＲＳは、周期的又は半持続的に設定されたＣＳＩ−ＲＳに該当し、
前記指示情報がオフ（ＯＦＦ）を指示する場合、前記少なくとも一つの特定のＣＳＩ−ＲＳは、前記ＣＳＩ報告の実行時点を基準に前記間隔情報によって指示される時点以前に受信されるＣＳＩ−ＲＳに該当する、請求項５に記載のＣＳＩ報告方法。
【請求項８】
前記測定値は、前記少なくとも一つの特定のＣＳＩ−ＲＳを用いて算出された少なくとも一つの値の平均値（ａｖｅｒａｇｅ  ｖａｌｕｅ）である、請求項７に記載のＣＳＩ報告方法。
【請求項９】
前記平均値は、前記少なくとも一つの特定のＣＳＩ−ＲＳの各々の受信時点に応じて、加重平均（ｗｅｉｇｈｔｅｄ  ａｖｅｒａｇｅ）を適用して算出される、請求項８に記載のＣＳＩ報告方法。
【請求項１０】
前記測定値は、前記少なくとも一つの特定のＣＳＩ−ＲＳを用いて算出された値に基づき、前記ＣＳＩ報告の実行時点を基準に前記間隔情報によって指示される時点まで推定（ｅｓｔｉｍａｔｉｏｎ）された値である、請求項７に記載のＣＳＩ報告方法。
【請求項１１】
前記一つ以上のＣＳＩ−ＲＳが非周期的（ａｐｅｒｉｏｄｉｃ）ＣＳＩ−ＲＳに該当する場合、前記少なくとも一つの特定のＣＳＩ−ＲＳは、前記ＣＳＩ報告の実行時点を基準に前記間隔情報によって指示される時点以前に受信される非周期的ＣＳＩ−ＲＳに該当する、請求項１に記載のＣＳＩ報告方法。
【請求項１２】
前記一つ以上のＣＳＩ−ＲＳが非周期的（ａｐｅｒｉｏｄｉｃ）ＣＳＩ−ＲＳに該当する場合、全てのＣＳＩ−ＲＳは、前記ＣＳＩ報告の実行時点を基準に前記間隔情報によって指示される時点以前に受信される非周期的ＣＳＩ−ＲＳに該当する、請求項１に記載のＣＳＩ報告方法。
【請求項１３】
前記ＣＳＩ報告が非周期的（ａｐｅｒｉｏｄｉｃ）に設定される場合、前記ＣＳＩ報告設定情報は、前記ＣＳＩ報告をトリガリング（ｔｒｉｇｇｅｒｉｎｇ）するダウンリンク制御情報（ｄｏｗｎｌｉｎｋ  ｃｏｎｔｒｏｌ  ｉｎｆｏｒｍａｔｉｏｎ）を介して受信される、請求項１に記載のＣＳＩ報告方法。
【請求項１４】
前記一つ以上のＣＳＩ−ＲＳの送信に関するリソース設定情報（ｒｅｓｏｕｒｃｅ  ｓｅｔｔｉｎｇ  ｉｎｆｏｒｍａｔｉｏｎ）を受信する過程をさらに含み、
前記リソース設定情報は、ＣＳＩ−ＲＳの送信に対するトリガリング時点とＣＳＩ−ＲＳの送信時点との間の間隔を指示する第１オフセット（ｏｆｆｓｅｔ）情報を含み、
前記ＣＳＩ報告設定情報は、ＣＳＩ報告に対するトリガリング時点とＣＳＩ報告の実行時点との間の間隔を指示する第２オフセット情報をさらに含む、請求項１に記載のＣＳＩ報告方法。
【請求項１５】
無線通信システムにおけるチャネル状態情報（Ｃｈａｎｎｅｌ  Ｓｔａｔｅ  Ｉｎｆｏｒｍａｔｉｏｎ、ＣＳＩ）を報告する（ｒｅｐｏｒｔｉｎｇ）端末において、
無線信号を送受信するためのＲＦモジュール（ｒａｄｉｏ  ｆｒｅｑｕｅｎｃｙ  ｍｏｄｕｌｅ）と、
前記ＲＦモジュールと機能的に接続されているプロセッサと、を含み、
前記プロセッサは、
ＣＳＩ報告に関するＣＳＩ報告設定情報（ＣＳＩ  ｒｅｐｏｒｔｉｎｇ  ｓｅｔｔｉｎｇ  ｉｎｆｏｒｍａｔｉｏｎ）を受信し、
一つ以上のチャネル状態情報参照信号（ＣＳＩ−Ｒｅｆｅｒｅｎｃｅ  Ｓｉｇｎａｌ、ＣＳＩ−ＲＳ）を受信し、
前記一つ以上のＣＳＩ−ＲＳの少なくとも一つの特定のＣＳＩ−ＲＳによって推定された測定値（ｍｅａｓｕｒｅｍｅｎｔ  ｖａｌｕｅ）を用いて前記ＣＳＩ報告を行うように制御し、
前記少なくとも一つの特定のＣＳＩ−ＲＳは、前記測定値を推定するための測定区間（ｍｅａｓｕｒｅｍｅｎｔ  ｉｎｔｅｒｖａｌ）を設定する間隔情報（ｇａｐ  ｉｎｆｏｒｍａｔｉｏｎ）、及び前記ＣＳＩ報告の実行時点に基づいて決定される、端末。
【発明の詳細な説明】
【技術分野】
【０００１】
本発明は、無線通信システムに関し、より詳細には、チャネル状態情報（Ｃｈａｎｎｅｌ  Ｓｔａｔｅ  Ｉｎｆｏｒｍａｔｉｏｎ、ＣＳＩ）を測定及び報告するための方法、並びにこれを支援する装置に関する。
【背景技術】
【０００２】
移動通信システムは、ユーザの活動性を保証しながら音声サービスを提供するために開発された。しかしながら、移動通信システムは音声だけでなく、データサービスまで領域を拡張し、現在には爆発的なトラフィックの増加によってリソースの不足現象が引き起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり転送率の画期的な増加、大幅に増加した接続デバイス個数の収容、非常に低いエンドツーエンド遅延（Ｅｎｄ−ｔｏ−Ｅｎｄ  Ｌａｔｅｎｃｙ）、高エネルギー効率を支援できなければならない。そのために、デュアルコネクティビティ（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多元接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）など、多様な技術が研究されている。
【発明の概要】
【発明が解決しようとする課題】
【０００４】
本明細書は、ＣＳＩフレームワーク（ＣＳＩ  ｆｒａｍｅｗｏｒｋ）に基づいてＣＳＩを測定及び報告する方法、並びにこのための装置を提案する。
【０００５】
これに関して、本明細書は、ＣＳＩ−ＲＳの送信の時点と、ＣＳＩ報告の時点とを考慮して設定された時間間隔（ｔｉｍｅ  ｇａｐ）を用いて、ＣＳＩ報告のための推定値を算出する方法を提案する。
【０００６】
また、本明細書は、端末に対して設定された測定制限（ｍｅａｓｕｒｅｍｅｎｔ  ｒｅｓｔｒｉｃｔｉｏｎ）の可否を区分してＣＳＩ報告のための推定値を算出する方法を提案する。
【０００７】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００８】
本発明の実施例に係る無線通信システムにおける端末がチャネル状態情報（Ｃｈａｎｎｅｌ  Ｓｔａｔｅ  Ｉｎｆｏｒｍａｔｉｏｎ、ＣＳＩ）を報告する（ｒｅｐｏｒｔｉｎｇ）方法において、ＣＳＩ報告に関するＣＳＩ報告設定情報（ＣＳＩ  ｒｅｐｏｒｔｉｎｇ  ｓｅｔｔｉｎｇ  ｉｎｆｏｒｍａｔｉｏｎ）を受信する過程と、一つ以上のチャネル状態情報参照信号（ＣＳＩ−Ｒｅｆｅｒｅｎｃｅ  Ｓｉｇｎａｌ、ＣＳＩ−ＲＳ）を受信する過程と、前記一つ以上のＣＳＩ−ＲＳの少なくとも一つの特定のＣＳＩ−ＲＳによって推定された測定値（ｍｅａｓｕｒｅｍｅｎｔ  ｖａｌｕｅ）を用いて前記ＣＳＩ報告を行う過程と、を含み、前記少なくとも一つの特定のＣＳＩ−ＲＳは、前記測定値を推定するための測定区間（ｍｅａｓｕｒｅｍｅｎｔ  ｉｎｔｅｒｖａｌ）を設定する間隔情報（ｇａｐ  ｉｎｆｏｒｍａｔｉｏｎ）及び前記ＣＳＩ報告の実行時点に基づいて決定される。
【０００９】
また、本発明の実施例に係る前記方法において、前記少なくとも一つの特定のＣＳＩ−ＲＳは、前記ＣＳＩ報告の実行時点を基準に前記間隔情報によって指示される時点以前に受信され得る。
【００１０】
また、本発明の実施例に係る前記方法において、前記端末の間隔情報を基地局に報告する過程をさらに含み、前記間隔情報は、前記端末の能力情報（ｃａｐａｂｉｌｉｔｙ  ｉｎｆｏｒｍａｔｉｏｎ）に基づいて決定され得る。
【００１１】
また、本発明の実施例に係る前記方法において、前記間隔情報は、前記基地局によって、前記端末が報告するＣＳＩの類型（ｔｙｐｅ）を考慮して設定され得る。
【００１２】
また、本発明の実施例に係る前記方法において、前記ＣＳＩ報告設定情報は、前記ＣＳＩ報告に対する測定制限（ｍｅａｓｕｒｅｍｅｎｔ  ｒｅｓｔｒｉｃｔｉｏｎ）の可否を示す指示情報をさらに含み得る。
【００１３】
また、本発明の実施例に係る前記方法において、前記一つ以上のＣＳＩ−ＲＳは、周期的（ｐｅｒｉｏｄｉｃ）又は半持続的（ｓｅｍｉ−ｐｅｒｓｉｓｔｅｎｔ）に設定されたＣＳＩ−ＲＳに該当し、前記指示情報がオン（ＯＮ）を指示する場合、前記少なくとも一つの特定のＣＳＩ−ＲＳは、前記ＣＳＩ報告の実行時点を基準に前記間隔情報によって指示される時点以前に受信される最後（ｌａｓｔ）のＣＳＩ−ＲＳに該当し得る。
【００１４】
また、本発明の実施例に係る前記方法において、前記一つ以上の ＣＳＩ−ＲＳは、周期的又は半持続的に設定されたＣＳＩ−ＲＳに該当し、前記指示情報がオフ（ＯＦＦ）を指示する場合、前記少なくとも一つの特定のＣＳＩ−ＲＳは、前記ＣＳＩ報告の実行時点を基準に前記間隔情報によって指示される時点以前に受信されるＣＳＩ−ＲＳに該当し得る。
【００１５】
また、本発明の実施例に係る前記方法において、前記測定値は、前記少なくとも一つの特定のＣＳＩ−ＲＳを用いて算出された少なくとも一つの値の平均値（ａｖｅｒａｇｅ  ｖａｌｕｅ）であり得る。
【００１６】
また、本発明の実施例に係る前記方法において、前記平均値は、前記少なくとも一つの特定のＣＳＩ−ＲＳの各々の受信時点に応じて、加重平均（ｗｅｉｇｈｔｅｄ  ａｖｅｒａｇｅ）を適用して算出され得る。
【００１７】
また、本発明の実施例に係る前記方法において、前記測定値は、前記少なくとも一つの特定のＣＳＩ−ＲＳを用いて算出された値に基づき、前記ＣＳＩ報告の実行時点を基準に前記間隔情報によって指示される時点まで推定（ｅｓｔｉｍａｔｉｏｎ）された値であり得る。
【００１８】
また、本発明の実施例に係る前記方法において、前記一つ以上のＣＳＩ−ＲＳが非周期的（ａｐｅｒｉｏｄｉｃ）ＣＳＩ−ＲＳに該当する場合、前記少なくとも一つの特定のＣＳＩ−ＲＳは、前記ＣＳＩ報告の実行時点を基準に前記間隔情報によって指示される時点以前に受信される非周期的ＣＳＩ−ＲＳに該当し得る。
【００１９】
また、本発明の実施例に係る前記方法において、前記一つ以上のＣＳＩ−ＲＳが非周期的（ａｐｅｒｉｏｄｉｃ）ＣＳＩ−ＲＳに該当する場合、全てのＣＳＩ−ＲＳは、前記ＣＳＩ報告の実行時点を基準に前記間隔情報によって指示される時点以前に受信される非周期的ＣＳＩ−ＲＳに該当し得る。
【００２０】
また、本発明の実施例に係る前記方法において、前記ＣＳＩ報告が非周期的（ａｐｅｒｉｏｄｉｃ）に設定される場合、前記ＣＳＩ報告設定情報は、前記ＣＳＩ報告をトリガリング（ｔｒｉｇｇｅｒｉｎｇ）するダウンリンク制御情報（ｄｏｗｎｌｉｎｋ  ｃｏｎｔｒｏｌ  ｉｎｆｏｒｍａｔｉｏｎ）を介して受信され得る。
【００２１】
また、本発明の実施例に係る前記方法は、前記一つ以上のＣＳＩ−ＲＳの送信に関するリソース設定情報（ｒｅｓｏｕｒｃｅ  ｓｅｔｔｉｎｇ  ｉｎｆｏｒｍａｔｉｏｎ）を受信する過程をさらに含み、前記リソース設定情報は、ＣＳＩ−ＲＳの送信に対するトリガリング時点とＣＳＩ−ＲＳの送信時点との間の間隔を指示する第１オフセット（ｏｆｆｓｅｔ）情報を含み、前記ＣＳＩ報告設定情報は、ＣＳＩ報告に対するトリガリング時点とＣＳＩ報告の実行時点との間の間隔を指示する第２オフセット情報をさらに含み得る。
【００２２】
また、本発明の実施例に係る前記方法において、前記一つ以上のＣＳＩ−ＲＳの送信及び前記ＣＳＩ報告がジョイントトリガリング（ｊｏｉｎｔ  ｔｒｉｇｇｅｒｉｎｇ）される場合、前記少なくとも一つの特定のＣＳＩ−ＲＳに対して設定された第１オフセット情報が示す値と、前記ＣＳＩ報告に対して設定された第２オフセット情報が示す値との間の差の値（ｄｉｆｆｅｒｅｎｃｅ  ｖａｌｕｅ）は、前記間隔情報が示す値よりも大きいことがある。
【００２３】
本発明の実施例に係る無線通信システムにおけるチャネル状態情報（Ｃｈａｎｎｅｌ  Ｓｔａｔｅ  Ｉｎｆｏｒｍａｔｉｏｎ、ＣＳＩ）を報告する（ｒｅｐｏｒｔｉｎｇ）端末において、前記端末は、無線信号を送受信するためのＲＦモジュール（ｒａｄｉｏ  ｆｒｅｑｕｅｎｃｙ  ｍｏｄｕｌｅ）、及び前記ＲＦモジュールと機能的に接続されているプロセッサを含み、前記プロセッサは、ＣＳＩ報告に関するＣＳＩ報告設定情報（ＣＳＩ  ｒｅｐｏｒｔｉｎｇ  ｓｅｔｔｉｎｇ  ｉｎｆｏｒｍａｔｉｏｎ）を受信し、一つ以上のチャネル状態情報参照信号（ＣＳＩ−Ｒｅｆｅｒｅｎｃｅ  Ｓｉｇｎａｌ、ＣＳＩ−ＲＳ）を受信し、前記一つ以上のＣＳＩ−ＲＳの少なくとも一つの特定のＣＳＩ−ＲＳによって推定された測定値（ｍｅａｓｕｒｅｍｅｎｔ  ｖａｌｕｅ）を用いて前記ＣＳＩ報告を行うように制御し、前記少なくとも一つの特定のＣＳＩ−ＲＳは、前記測定値を推定するための測定区間（ｍｅａｓｕｒｅｍｅｎｔ  ｉｎｔｅｒｖａｌ）を設定する間隔情報（ｇａｐ  ｉｎｆｏｒｍａｔｉｏｎ）、及び前記ＣＳＩ報告の実行時点に基づいて決定される。
【発明の効果】
【００２４】
本発明の実施例に係ると、端末別に（例：端末の能力に応じて）ＣＳＩ報告の測定値を算出するための時間間隔（ｔｉｍｅ  ｇａｐ）を設定することによって、画一化されない柔軟なＣＳＩ測定及び報告が行われることができるという効果がある。
【００２５】
また、本発明の実施例に係ると、端末のＣＳＩ算出能力を考慮し、ＣＳＩ測定及び報告を行うことによって、該当端末に許容される最新のチャネル推定値又は干渉推定値を算出することができるという効果がある。
【００２６】
本発明で得ることができる効果は、以上で言及した効果に制限されず、言及しない更に他の効果は以下の記載から本発明が属する技術分野で通常の知識を有する者に明確に理解できるはずである。
【図面の簡単な説明】
【００２７】
本発明に関する理解を助けるために詳細な説明の一部として含まれる添付図面は、本発明に対する実施形態を提供し、詳細な説明と共に本発明の技術的特徴を説明する。
【００２８】
【図１】本明細書で提案する方法が適用できるＮＲの全体的なシステム構造の一例を示した図である。
【図２】本明細書で提案する方法が適用できる無線通信システムにおけるアップリンクフレームとダウンリンクフレームとの間の関係を示す。
【図３】本明細書で提案する方法が適用できる無線通信システムで支援するリソースグリッド（ｒｅｓｏｕｒｃｅ  ｇｒｉｄ）の一例を示す。
【図４】本明細書で提案する方法が適用できるアンテナポート及びヌメロロジー別のリソースグリッドの例を示す。
【図５】本明細書で提案する方法が適用できる自己完結型スロット（ｓｅｌｆ−ｃｏｎｔａｉｎｅｄ  ｓｌｏｔ）構造の一例を示した図である。
【図６】本明細書で提案する方法が適用できるＴＸＲＵとアンテナ要素の接続方式の一例を示す。
【図７】本明細書で提案する方法が適用できるＴＸＲＵ別サービス領域の多様な一例を示す。
【図８】本明細書で提案する方法が適用できる二次元平面アレイ構造を用いるＭＩＭＯシステムの一例を示す。
【図９】本明細書で提案する方法が適用できるＮＲシステムで考慮されるＣＳＩフレームワーク（ＣＳＩ  ｆｒａｍｅｗｏｒｋ）の一例を示す。
【図１０】本明細書で提案する方法が適用できるＣＳＩ測定及び報告を行う方法の一例を示す。
【図１１】本明細書で提案する方法が適用できるＣＳＩ測定及び報告を行う方法の別の一例を示す。
【図１２】本明細書で提案する方法が適用できるＣＳＩ測定及び報告を行う方法のまた別の一例を示す。
【図１３】本明細書で提案する方法が適用できるＣＳＩを測定及び報告する端末の動作フローチャートを示す。
【図１４】本発明の一実施例に係る無線通信装置のブロック構成図を例示する。
【図１５】本発明の一実施例に係る通信装置のブロック構成図を例示する。
【発明を実施するための形態】
【００２９】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００３０】
幾つかの場合、本発明の概念が曖昧になることを避けるために公知の構造及び装置は省略されるか、または各構造及び装置の核心機能を中心としたブロック図形式に図示できる。
【００３１】
本明細書で、基地局は端末と直接に通信を行うネットワークの終端ノード（ｔｅｒｍｉｎａｌ  ｎｏｄｅ）としての意味を有する。本文書で基地局によって行われるものと説明された特定の動作は、場合によっては基地局の上位ノード（ｕｐｐｅｒ  ｎｏｄｅ）によって行われてもよい。すなわち、基地局を含む多数のネットワークノード（ｎｅｔｗｏｒｋ  ｎｏｄｅｓ）からなるネットワークで端末との通信のために行われる多様な動作は、基地局又は基地局以外の他のネットワークノードによって行われ得ることは自明である。「基地局（ＢＳ：Ｂａｓｅ Ｓｔａｔｉｏｎ）」は、固定局（ｆｉｘｅｄ ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）、ｇＮＢ（ｎｅｘｔ  ｇｅｎｅｒａｔｉｏｎ  ＮＢ、ｇｅｎｅｒａｌ  ＮＢ、ｇＮｏｄｅＢ）等の用語によって代替し得る。また、「端末（Ｔｅｒｍｉｎａｌ）」は、固定されるか移動性を有し得るものであり、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ)、 ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置等の用語に代替し得る。
【００３２】
以下、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクで、送信機は基地局の一部であり、受信機は端末の一部でありうる。アップリンクで、送信機は端末の一部であり、受信機は基地局の一部でありうる。
【００３３】
以下の説明で使われる特定の用語は本発明の理解を助けるために提供されたものであり、このような特定の用語の使用は本発明の技術的思想を逸脱しない範囲で異なる形態に変更できる。
【００３４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌｍｕｌｔｉｐｌｅａｃｃｅｓｓ）などの多様な無線接続システムに利用できる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現化できる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現化できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などの無線技術で具現化できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（ａｄｖａｎｃｅｄ）は３ＧＰＰ  ＬＴＥの進化である。
【００３５】
本発明の実施形態は無線接続システムであるＩＥＥＥ  ８０２、３ＧＰＰ、及び３ＧＰＰ２のうち、少なくとも１つに開示された標準文書により裏付けられる。即ち、本発明の実施形態のうち、本発明の技術的思想を明確に示すために説明しないステップまたは部分は前記文書により裏付けられる。また、本文書で開示している全ての用語は前記標準文書により説明できる。
【００３６】
説明を明確にするために、３ＧＰＰ  ＬＴＥ／ＬＴＥ−Ａ／ＮＲ（Ｎｅｗ  ＲＡＴ）を中心として記述するが、本発明の技術的特徴がこれに制限されるものではない。
【００３７】
用語の定義
【００３８】
ｅＬＴＥ  ｅＮＢ：ｅＬＴＥ  ｅＮＢは、ＥＰＣ及びＮＧＣに対する接続を支援するｅＮＢの進化（ｅｖｏｌｕｔｉｏｎ）である。
【００３９】
ｇＮＢ：ＮＧＣとの接続だけでなく、ＮＲを支援するノード。
【００４０】
新たなＲＡＮ：ＮＲまたはＥ−ＵＴＲＡを支援するか、またはＮＧＣと相互作用する無線アクセスネットワーク。
【００４１】
ネットワークスライス（ｎｅｔｗｏｒｋ  ｓｌｉｃｅ）：ネットワークスライスは、終端間の範囲と共に特定要求事項を要求する特定市場シナリオに対して最適化されたソリューションを提供するようにｏｐｅｒａｔｏｒにより定義されたネットワーク。
【００４２】
ネットワーク機能（ｎｅｔｗｏｒｋ  ｆｕｎｃｔｉｏｎ）：ネットワーク機能は、よく定義された外部インターフェースとよく定義された機能的動作を有するネットワークインフラ内での論理的ノード。
【００４３】
ＮＧ−Ｃ：新たなＲＡＮとＮＧＣとの間のＮＧ２レファレンスポイント（ｒｅｆｅｒｅｎｃｅ  ｐｏｉｎｔ）に使われる制御プレーンインターフェース。
【００４４】
ＮＧ−Ｕ：新たなＲＡＮとＮＧＣとの間のＮＧ３レファレンスポイント（ｒｅｆｅｒｅｎｃｅ  ｐｏｉｎｔ）に使われるユーザプレーンインターフェース。
【００４５】
非独立型（Ｎｏｎ−ｓｔａｎｄａｌｏｎｅ）ＮＲ：ｇＮＢがＬＴＥ  ｅＮＢをＥＰＣに制御プレーン接続のためのアンカーとして要求するか、またはｅＬＴＥ  ｅＮＢをＮＧＣに制御プレーン接続のためのアンカーとして要求する配置構成。
【００４６】
非独立型Ｅ−ＵＴＲＡ：ｅＬＴＥ  ｅＮＢがＮＧＣに制御プレーン接続のためのアンカーとしてｇＮＢを要求する配置構成。
【００４７】
ユーザプレーンゲートウェイ：ＮＧ−Ｕインターフェースの終端点。
【００４８】
システム一般
【００４９】
図１は、本明細書で提案する方法が適用できるＮＲの全体的なシステム構造の一例を示した図である。
【００５０】
図１を参照すると、ＮＧ−ＲＡＮはＮＧ−ＲＡユーザプレーン（新たなＡＳ  ｓｕｂｌａｙｅｒ／ＰＤＣＰ／ＲＬＣ／ＭＡＣ／ＰＨＹ）及びＵＥ（Ｕｓｅｒ  Ｅｑｕｉｐｍｅｎｔ）に対するコントロールプレーン（ＲＲＣ）プロトコル終端を提供するｇＮＢで構成される。
【００５１】
前記ｇＮＢは、Ｘｎインターフェースを通じて相互接続される。
【００５２】
また、前記ｇＮＢは、ＮＧインターフェースを通じてＮＧＣに接続される。
【００５３】
より具体的には、前記ｇＮＢはＮ２インターフェースを通じてＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に、Ｎ３インターフェースを通じてＵＰＦ（Ｕｓｅｒ  Ｐｌａｎｅ  Ｆｕｎｃｔｉｏｎ）に接続される。
【００５４】
ＮＲ（Ｎｅｗ  Ｒａｔ）ヌメロロジー（Ｎｕｍｅｒｏｌｏｇｙ）及びフレーム（ｆｒａｍｅ）構造
【００５５】
ＮＲシステムでは、多数のヌメロロジー（ｎｕｍｅｒｏｌｏｇｙ）が支援できる。ここで、ヌメロロジーはサブキャリア間隔（ｓｕｂｃａｒｒｉｅｒ  ｓｐａｃｉｎｇ）とＣＰ（Ｃｙｃｌｉｃ  Ｐｒｅｆｉｘ）オーバーヘッドにより定義できる。この際、多数のサブキャリア間隔は基本サブキャリア間隔を整数Ｎ（または、μ）にスケーリング（ｓｃａｌｉｎｇ）することにより誘導できる。また、非常に高い搬送波周波数で非常に低いサブキャリア間隔を利用しないと仮定されても、用いられるヌメロロジーは周波数帯域と独立的に選択できる。
【００５６】
また、ＮＲシステムでは多数のヌメロロジーに従う多様なフレーム構造が支援できる。
【００５７】
以下、ＮＲシステムで考慮できるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ヌメロロジー及びフレーム構造を説明する。
【００５８】
ＮＲシステムで支援される多数のＯＦＤＭヌメロロジーは、表１のように定義できる。
【００５９】
【表１】
2020508005.tif 000003
【００６０】
ＮＲシステムにおけるフレーム構造（ｆｒａｍｅ  ｓｔｒｕｃｔｕｒｅ）と関連して、時間領域の多様なフィールドのサイズは
2020508005.tif 000004
の時間単位の倍数として表現される。ここで、
2020508005.tif 000005
であり、
2020508005.tif 000006
である。ダウンリンク（ｄｏｗｎｌｉｎｋ）及びアップリンク（ｕｐｌｉｎｋ）転送は
2020508005.tif 000007
の区間を有する無線フレーム（ｒａｄｉｏ  ｆｒａｍｅ）で構成される。ここで、無線フレームは各々
2020508005.tif 000008
の区間を有する１０個のサブフレーム（ｓｕｂｆｒａｍｅ）で構成される。この場合、アップリンクに対する１セットのフレーム及びダウンリンクに対する１セットのフレームが存在することができる
【００６１】
図２は、本明細書で提案する方法が適用できる無線通信システムにおけるアップリンクフレームとダウンリンクフレームとの間の関係を示す。
【００６２】
図２に示すように、端末（Ｕｓｅｒ  Ｅｑｕｉｐｍｅｎｔ：ＵＥ）からのアップリンクフレーム番号ｉの転送は、該当端末での該当ダウンリンクフレームの開始より
2020508005.tif 000009
以前に始めなければならない。
【００６３】
ヌメロロジーμに対して、スロット（ｓｌｏｔ）はサブフレーム内で
2020508005.tif 000010
の増加する順に番号が付けられて、無線フレーム内で
2020508005.tif 000011
の増加する順に番号が付けられる。１つのスロットは
2020508005.tif 000012
の連続するＯＦＤＭシンボルで構成され、
2020508005.tif 000013
は用いられるヌメロロジー及びスロット設定（ｓｌｏｔ  ｃｏｎｆｉｇｕｒａｔｉｏｎ）によって決定される。サブフレームでスロット
2020508005.tif 000014
の開始は同一サブフレームでＯＦＤＭシンボル
2020508005.tif 000015
の開始と時間的に整列される。
【００６４】
全ての端末が同時に送信及び受信できるものではなく、これはダウンリンクスロット（ｄｏｗｎｌｉｎｋ  ｓｌｏｔ）またはアップリンクスロット（ｕｐｌｉｎｋ  ｓｌｏｔ）の全てのＯＦＤＭシンボルが利用できないことを意味する。
【００６５】
表２はヌメロロジーμでの一般（ｎｏｒｍａｌ）ＣＰに対するスロット当たりＯＦＤＭシンボルの数を示し、表３はヌメロロジーμでの拡張（ｅｘｔｅｎｄｅｄ）ＣＰに対するスロット当たりＯＦＤＭシンボルの数を示す。
【００６６】
【表２】
2020508005.tif 000016
【００６７】
【表３】
2020508005.tif 000017
【００６８】
ＮＲ物理リソース（ＮＲ  Ｐｈｙｓｉｃａｌ  Ｒｅｓｏｕｒｃｅ）
【００６９】
ＮＲシステムにおける物理リソース（ｐｈｙｓｉｃａｌ  ｒｅｓｏｕｒｃｅ）と関連して、アンテナポート（ａｎｔｅｎｎａ  ｐｏｒｔ）、リソースグリッド（ｒｅｓｏｕｒｃｅ  ｇｒｉｄ）、リソース要素（ｒｅｓｏｕｒｃｅ  ｅｌｅｍｅｎｔ）、リソースブロック（ｒｅｓｏｕｒｃｅ  ｂｌｏｃｋ）、キャリアパート（ｃａｒｒｉｅｒ  ｐａｒｔ）などが考慮できる。
【００７０】
以下、ＮＲシステムで考慮できる前記物理リソースに対して具体的に説明する。
【００７１】
まず、アンテナポートと関連して、アンテナポートはアンテナポート上のシンボルが運搬されるチャネルが同一なアンテナポート上の他のシンボルが運搬されるチャネルから推論できるように定義される。１つのアンテナポート上のシンボルが運搬されるチャネルの広範囲特性（ｌａｒｇｅ−ｓｃａｌｅ  ｐｒｏｐｅｒｔｙ）が他のアンテナポート上のシンボルが運搬されるチャネルから類推できる場合、２つのアンテナポートはＱＣ／ＱＣＬ（ｑｕａｓｉｃｏ−ｌｏｃａｔｅｄまたはｑｕａｓｉ  ｃｏ−ｌｏｃａｔｉｏｎ）関係にあるということができる。ここで、前記広範囲特性は遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち、１つ以上を含む。
【００７２】
図３は、本明細書で提案する方法が適用できる無線通信システムで支援するリソースグリッド（ｒｅｓｏｕｒｃｅ  ｇｒｉｄ）の一例を示す。
【００７３】
図３を参照すると、リソースグリッドが周波数領域上に
2020508005.tif 000018
サブキャリアで構成され、１つのサブフレームが１４・２μＯＦＤＭシンボルで構成されることを例示的に記述するが、これに限定されるものではない。
【００７４】
ＮＲシステムにおいて、転送される信号（ｔｒａｎｓｍｉｔｔｅｄ  ｓｉｇｎａｌ）は
2020508005.tif 000019
サブキャリアから構成される１つ又はそれ以上のリソースグリッド及び
2020508005.tif 000020
のＯＦＤＭシンボルにより説明される。ここで、
2020508005.tif 000021
である。前記
2020508005.tif 000022
は、最大転送帯域幅を示し、これは、ヌメロロジーだけでなく、アップリンクとダウンリンクとの間にも変わることができる。
【００７５】
この場合、図４に示すように、ヌメロロジー
2020508005.tif 000023
及びアンテナポートｐ別に１つのリソースグリッドが設定される。
【００７６】
図４は、本明細書で提案する方法が適用できるアンテナポート及びヌメロロジー別のリソースグリッドの例を示す。
【００７７】
ヌメロロジー
2020508005.tif 000024
及びアンテナポートｐに対するリソースグリッドの各要素はリソース要素（ｒｅｓｏｕｒｃｅ  ｅｌｅｍｅｎｔ）と称され、インデックス対
2020508005.tif 000025
により固有に識別される。ここで、
2020508005.tif 000026
は周波数領域上のインデックスであり、
2020508005.tif 000027
はサブフレーム内でシンボルの位置を示す。スロットにおいてリソース要素を示すときは、インデックス対
2020508005.tif 000028
が用いられる。ここで、
2020508005.tif 000029
である。
【００７８】
ヌメロロジー
2020508005.tif 000030
及びアンテナポートｐに対するリソース要素
2020508005.tif 000031
は、複素値（ｃｏｍｐｌｅｘ  ｖａｌｕｅ）
2020508005.tif 000032
に該当する。混同（ｃｏｎｆｕｓｉｏｎ）される危険がない場合、または、特定のアンテナポートまたはヌメロロジーが特定されない場合は、インデックスｐ及び
2020508005.tif 000033
はドロップ（ｄｒｏｐ）されることができ、その結果、複素値
2020508005.tif 000034
又は
2020508005.tif 000035
になることができる。
【００７９】
また、物理リソースブロック（ｐｈｙｓｉｃａｌ  ｒｅｓｏｕｒｃｅ  ｂｌｏｃｋ）は周波数領域上の
2020508005.tif 000036
連続的なサブキャリアとして定義される。周波数領域上で、物理リソースブロックは０から
2020508005.tif 000037
まで番号が付けられる。このとき、周波数領域上の物理リソースブロック番号（ｐｈｙｓｉｃａｌ  ｒｅｓｏｕｒｃｅ  ｂｌｏｃｋ  ｎｕｍｂｅｒ）
2020508005.tif 000038
とリソース要素
2020508005.tif 000039
間の関係は数式１のように与えられる。
【００８０】
【数１】
2020508005.tif 000040
【００８１】
また、キャリアパート（ｃａｒｒｉｅｒ  ｐａｒｔ）に関して、端末はリソースグリッドのサブセット（ｓｕｂｓｅｔ）のみを利用して受信または転送するように設定されることができる。このとき、端末が受信または転送するように設定されたリソースブロックの集合（ｓｅｔ）は周波数領域上で０から
2020508005.tif 000041
まで番号が付けられる。
【００８２】
ビーム管理（Ｂｅａｍ  ｍａｎａｇｅｍｅｎｔ）
【００８３】
ＮＲにおけるビーム管理は次のように定義される。
【００８４】
ビーム管理（Ｂｅａｍ  ｍａｎａｇｅｍｅｎｔ）：ＤＬ及びＵＬの送受信に使用されることができるＴＲＰ及び／又はＵＥのビームのセット（ｓｅｔ）を獲得して維持するためのＬ１／Ｌ２手続のセットであって、少なくとも次の事項を含む：
【００８５】
−  ビーム決定：ＴＲＰ又はＵＥが自身の送信／受信ビームを選択する動作。
【００８６】
−  ビーム測定：ＴＲＰ又はＵＥが受信されたビーム形成の信号の特性を測定する動作。
【００８７】
−  ビーム報告：ＵＥがビーム測定に基づいてビーム形成された信号の情報を報告する動作。
【００８８】
−  ビームスイーピング（Ｂｅａｍ  ｓｗｅｅｐｉｎｇ）：予め決定された方式で時間間隔の間に送信及び／又は受信されたビームを用いて空間領域をカバーする動作。
【００８９】
また、ＴＲＰ及びＵＥにおけるＴｘ／Ｒｘビームの対応（ｃｏｒｒｅｓｐｏｎｄｅｎｃｅ）は、次のように定義される。
【００９０】
−  ＴＲＰにおけるＴｘ／Ｒｘビームの対応は、次の少なくとも一つが満たされると維持される。
【００９１】
−  ＴＲＰは、ＴＲＰの一つ以上の送信ビームに対するＵＥのダウンリンク測定に基づいて、アップリンク受信のためのＴＲＰ受信ビームを決定し得る。
【００９２】
−  ＴＲＰは、ＴＲＰの一つ以上のＲｘビームに対するＴＲＰのアップリンクの測定に基づいて、ダウンリンク送信に対するＴＲＰ  Ｔｘビームを決定し得る。
【００９３】
−  ＵＥにおけるＴｘ／Ｒｘビームの対応は、次の少なくとも一つが満たされると維持される。
【００９４】
−  ＵＥは、ＵＥの一つ以上のＲｘビームに対するＵＥのダウンリンクの測定に基づいて、アップリンク送信のためのＵＥ  Ｔｘビームを決定し得る。
【００９５】
−  ＵＥは、一つ以上のＴｘビームに対するアップリンクの測定に基づいたＴＲＰの指示に基づいて、ダウンリンク受信のためのＵＥ受信ビームを決定し得る。
【００９６】
−  ＴＲＰへＵＥビームの対応に関する情報の能力指示が支援される。
【００９７】
次のようなＤＬにおけるＬ１／Ｌ２のビーム管理手続が、一つ又は多数のＴＲＰ内で支援される。
【００９８】
Ｐ−１：ＴＲＰ  Ｔｘビーム／ＵＥ  Ｒｘビームの選択を支援するために、異なるＴＲＰ  Ｔｘビームに対するＵＥの測定を可能にするために使用される。
【００９９】
−  ＴＲＰにおけるビームフォーミングの場合、一般に互いに異なるビームセットでイントラ（ｉｎｔｒａ）／インター（ｉｎｔｅｒ）−ＴＲＰ  Ｔｘビームスイープ（ｓｗｅｅｐ）を含む。ＵＥにおけるビームフォーミングのために、それは通常異なるビームのセットからのＵＥ  Ｒｘビームスイープを含む。
【０１００】
Ｐ−２：異なるＴＲＰ  Ｔｘビームに対するＵＥの測定が、インター／イントラ−ＴＲＰ  Ｔｘビームを変更させるために使用される。
【０１０１】
Ｐ−３：ＵＥがビームフォーミングを使用する場合に、同一のＴＲＰ  Ｔｘビームに対するＵＥの測定が、ＵＥ  Ｒｘビームを変更させるのに使用される。
【０１０２】
少なくともネットワークによってトリガーされた非周期的報告（ａｐｒｅｉｏｄｉｃ  ｒｅｐｏｒｔｉｎｇ）は、Ｐ−１、Ｐ−２、及びＰ−３に関する動作で支援される。
【０１０３】
ビーム管理（少なくともＣＳＩ−ＲＳ）のためのＲＳに基づいたＵＥの測定は、Ｋ（ビームの総数）ビームで構成され、ＵＥは、選択されたＮ個のＴｘビームの測定結果を報告する。ここで、Ｎは、必ずしも固定された数ではない。移動性の目的のためのＲＳに基づいた手続は排除されない。報告情報は、少なくともＮ＜Ｋである場合、Ｎ個のビームに対する測定量及びＮ個のＤＬ送信ビームを示す情報を含む。特に、ＵＥがＫ’＞１ノン−ゼロ−パワー（ＮＺＰ）ＣＳＩ−ＲＳリソースに対して、ＵＥは、Ｎ’のＣＲＩ（ＣＳＩ−ＲＳリソースの指示子）を報告し得る。
【０１０４】
ＵＥはビーム管理のために次のような上位層のパラメータ（ｈｉｇｈｅｒ  ｌａｙｅｒ  ｐａｒａｍｅｔｅｒ）で設定され得る。
【０１０５】
−  Ｎ≧１報告設定（ｓｅｔｔｉｎｇ）、Ｍ≧１リソース設定
【０１０６】
−  報告設定とリソース設定との間のリンクは、合意されたＣＳＩ測定設定で設定される。
【０１０７】
−  ＣＳＩ−ＲＳベースのＰ−１及びＰ−２は、リソース及び報告設定で支援される。
【０１０８】
−  Ｐ−３は、報告設定の有無に関係なく支援され得る。
【０１０９】
−  少なくとも以下の事項を含む報告設定（ｒｅｐｏｒｔｉｎｇ  ｓｅｔｔｉｎｇ）
【０１１０】
−  選択されたビームを示す情報
【０１１１】
−  Ｌ１測定報告（Ｌ１  ｍｅａｓｕｒｅｍｅｎｔ  ｒｅｐｏｒｔｉｎｇ）
【０１１２】
−  時間領域動作（例：非周期的（ａｐｅｒｉｏｄｉｃ）動作、周期的（ｐｅｒｉｏｄｉｃ）動作、半持続的（ｓｅｍｉ−ｐｅｒｓｉｓｔｅｎｔ）動作）
【０１１３】
−  様々な周波数細分性（ｆｒｅｑｕｅｎｃｙ  ｇｒａｎｕｌａｒｉｔｙ）が支援される場合の周波数細分性
【０１１４】
−  少なくとも以下の事項を含むリソース設定（ｒｅｓｏｕｒｃｅ  ｓｅｔｔｉｎｇ）
【０１１５】
−  時間領域動作（例：非周期的動作、周期的動作、半持続的動作）
【０１１６】
−  ＲＳ類型：少なくともＮＺＰ  ＣＳＩ−ＲＳ
【０１１７】
−  少なくとも一つのＣＳＩ−ＲＳリソースのセット。各ＣＳＩ−ＲＳリソースのセットは、Ｋ≧１  ＣＳＩ−ＲＳリソースを含む（Ｋ個のＣＳＩ−ＲＳリソースの一部パラメータは同一であってもよい。例えば、ポートの番号、時間領域動作、密度、及び周期）
【０１１８】
また、ＮＲは、Ｌ＞１であるＬグループを考慮し、次のビーム報告を支援する。
【０１１９】
−  最小限のグループを示す情報
【０１２０】
−  Ｎ１ビームに対する測定量（ｍｅａｓｕｒｅｍｅｎｔ  ｑｕａｎｔｉｔｙ）（Ｌ１  ＲＳＲＰ及びＣＳＩ報告支援（ＣＳＩ−ＲＳがＣＳＩ獲得のための場合））
【０１２１】
−  適用可能な場合、Ｎ１個のＤＬ送信ビームを示す情報
【０１２２】
前述したようなグループベースのビーム報告は、ＵＥ単位で構成し得る。また、前記グループベースのビーム報告は、ＵＥ単位でターンオフ（ｔｕｒｎ−ｏｆｆ）され得る（例えば、Ｌ＝１又はＮｌ＝１の場合）。
【０１２３】
ＮＲは、ＵＥがビーム失敗から復旧するメカニズムをトリガーできることを支援する。
【０１２４】
ビーム失敗（ｂｅａｍ  ｆａｉｌｕｒｅ）のイベントは、関連した制御チャネルのビームペアリンク（ｂｅａｍ  ｐａｉｒ  ｌｉｎｋ）の品質が充分に低いときに発生する（例えば、臨界値との比較、関連したタイマーのタイムアウト）。ビーム失敗（又は障害）から復旧するメカニズムは、ビーム障害が発生するときにトリガーされる。
【０１２５】
ネットワークは、復旧の目的でＵＬ信号を送信するためのリソースを有するＵＥに明示的に構成する。リソースの構成は、基地局が全体又は一部方向から（例えば、ｒａｎｄｏｍ  ａｃｃｅｓｓ  ｒｅｇｉｏｎ）聴取（ｌｉｓｔｅｎｉｎｇ）するところで支援される。
【０１２６】
ビーム障害を報告するＵＬ送信／リソースは、ＰＲＡＣＨ（ＰＲＡＣＨリソースに直交するリソース）と同一の時間インスタンス（ｉｎｓｔａｎｃｅ）に、又はＰＲＡＣＨと異なる時間インスタンス（ＵＥに対して構成可能）に位置し得る。ＤＬ信号の送信は、ＵＥが新たな潜在的なビームを識別するためにビームをモニターすることができるように支援される。
【０１２７】
ＮＲは、ビーム関連の指示（ｂｅａｍ−ｒｅｌａｔｅｄ  ｉｎｄｉｃａｔｉｏｎ）に関係なく、ビーム管理を支援する。ビーム関連の指示が提供される場合、ＣＳＩ−ＲＳベースの測定のために使用されたＵＥ側のビーム形成／受信手続に関する情報は、ＱＣＬを介してＵＥに指示され得る。ＮＲで支援するＱＣＬパラメータとしては、ＬＴＥシステムで使用していた遅延（ｄｅｌａｙ）、ドップラー（Ｄｏｐｐｌｅｒ）、平均利得（ａｖｅｒａｇｅ  ｇａｉｎ）等に対するパラメータだけでなく、受信端におけるビームフォーミングのための空間パラメータが追加される予定であり、端末の受信ビームフォーミングの観点から、到達角（ａｎｇｌｅ  ｏｆ  ａｒｒｉｖａｌ）関連のパラメータ及び／又は基地局の受信ビームフォーミングの観点から、発信角（ａｎｇｌｅ  ｏｆ  ｄｅｐａｒｔｕｒｅ）関連のパラメータが含まれ得る。ＮＲは制御チャネル及び該当データチャネルの送信で同一であるか異なるビームを使用することを支援する。
【０１２８】
ビームペアリンクブロッキング（ｂｅａｍ  ｐａｉｒ  ｌｉｎｋ  ｂｌｏｃｋｉｎｇ）に対する頑健性（ｒｏｂｕｓｔｎｅｓｓ）を支援するＮＲ−ＰＤＣＣＨ送信のために、ＵＥは、同時にＭ個のビームペアリンク上でＮＲ−ＰＤＣＣＨをモニタリングするように構成され得る。ここで、Ｍ≧１及びＭの最大値は、少なくともＵＥの能力に依存し得る。
【０１２９】
ＵＥは、異なるＮＲ−ＰＤＣＣＨ  ＯＦＤＭシンボルで異なるビームペアリンク上のＮＲ−ＰＤＣＣＨをモニタリングするように構成され得る。多数のビームペアリンク上でＮＲ−ＰＤＣＣＨをモニタリングするためのＵＥ  Ｒｘビームの設定に関するパラメータは、上位層のシグナリング又はＭＡＣ  ＣＥによって構成されるか、及び／又は探索空間の設計で考慮される。
【０１３０】
少なくとも、ＮＲはＤＬ  ＲＳアンテナポートとＤＬ制御チャネルの復調のためのＤＬ  ＲＳアンテナポート間の空間ＱＣＬ仮定の指示を支援する。ＮＲ−ＰＤＣＣＨ（即ち、ＮＲ−ＰＤＣＣＨをモニタリングする構成方法）に対するビーム指示のための候補のシグナリング方法は、ＭＡＣ  ＣＥシグナリング、ＲＲＣシグナリング、ＤＣＩシグナリング、スペックトランスペアレント及び／又は暗示的方法、及びこれらのシグナリング方法の組み合わせである。
【０１３１】
ユニキャストのＤＬデータチャネルの受信のために、ＮＲはＤＬ  ＲＳアンテナポートとＤＬデータチャネルのＤＭＲＳアンテナポート間の空間ＱＣＬ仮定の指示を支援する。
【０１３２】
ＲＳアンテナポートを示す情報は、ＤＣＩ（ダウンリンクの許可）を介して表される。また、この情報は、ＤＭＲＳアンテナポートとＱＣＬされているＲＳアンテナポートを示す。ＤＬデータチャネルに対するＤＭＲＳアンテナポートの異なるセットは、ＲＳアンテナポートの異なるセットとＱＣＬとして示し得る。
【０１３３】
以下、本明細書で提案する方法を具体的に説明するに先だって、本明細書で提案する方法と直接／間接に関連した内容について、先ず簡略に見ることとする。
【０１３４】
５Ｇ、Ｎｅｗ  Ｒａｔ（ＮＲ）等次世代通信では、より多くの通信機器がより大きな通信容量を要求するようになるにつれて、既存の無線アクセス技術（ｒａｄｉｏ  ａｃｃｅｓｓ  ｔｅｃｈｎｏｌｏｇｙ、ＲＡＴ）に比べて、向上したモバイルブロードバンド（ｍｏｂｉｌｅ  ｂｒｏａｄｂａｎｄ）通信に対する必要性が台頭している。
【０１３５】
また、多数の機器及び物を接続し、いつどこでも多様なサービスを提供するｍａｓｓｉｖｅ  ＭＴＣ（Ｍａｃｈｉｎｅ  Ｔｙｐｅ  Ｃｏｍｍｕｎｉｃａｔｉｏｎｓ）もやはり、次世代通信で考慮される主なイシューのうちの一つである。
【０１３６】
のみならず、信頼性（ｒｅｌｉａｂｉｌｉｔｙ）及び遅延（ｌａｔｅｎｃｙ）に敏感なサービス及び／又は端末（ＵＥ）を考慮した通信システムのデザイン又は構造が議論されている。
【０１３７】
このように、ｅｎｈａｎｃｅｄ  ｍｏｂｉｌｅ  ｂｒｏａｄｂａｎｄ（ｅＭＢＢ）ｃｏｍｍｕｎｉｃａｔｉｏｎ、ｍａｓｓｉｖｅ  ＭＴＣ（ｍＭＴＣ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）等を考慮した次世代無線アクセス技術（ｒａｄｉｏ  ａｃｃｅｓｓ  ｔｅｃｈｎｏｌｏｇｙ、ＲＡＴ）の導入が現在議論されており、本明細書では、便宜上、該当技術を「ｎｅｗ  ＲＡＴ（ＮＲ）」と称することとする。
【０１３８】
自己完結型（Ｓｅｌｆ−ｃｏｎｔａｉｎｅｄ）スロット構造
【０１３９】
ＴＤＤシステムでデータ送信のレイテンシ（ｌａｔｅｎｃｙ）を最小化するために、第５世代のＮｅｗ  ＲＡＴ（ＮＲ）では、図５のような自己完結型スロット構造（ｓｅｌｆ−ｃｏｎｔａｉｎｅｄ  ｓｌｏｔ  ｓｔｒｕｃｔｕｒｅ）を考慮している。
【０１４０】
即ち、図５は、本明細書で提案する方法が適用できる自己完結型スロット構造の一例を示した図である。
【０１４１】
図５において、斜線領域５１０は、ダウンリンクコントロール（ｄｏｗｎｌｉｎｋ  ｃｏｎｔｒｏｌ）領域を示し、黒色部分５２０は、アップリンクコントロール（ｕｐｌｉｎｋ  ｃｏｎｔｒｏｌ）領域を示す。
【０１４２】
何ら表示のない部分５３０は、ダウンリンクデータの送信のために用いられてもよく、アップリンクデータの送信のために用いられてもよい。
【０１４３】
このような構造の特徴は、１つのスロット内でＤＬ送信とＵＬ送信が順次に行われ、１つのスロット内でＤＬデータを送り、ＵＬ  Ａｃｋ／Ｎａｃｋも送受信できる。
【０１４４】
このようなスロットを「自己完結型スロット（ｓｅｌｆ−ｃｏｎｔａｉｎｅｄ  ｓｌｏｔ）」と定義することができる。
【０１４５】
即ち、このようなスロット構造を通じて、基地局はデータ送信のエラー発生の際、端末へデータを再送信するまでかかる時間を減らすことになり、これによって、最終のデータ伝達のレイテンシを最小化することができる。
【０１４６】
このような自己完結型スロット構造において、基地局と端末は送信モードから受信モードに切り替える過程又は受信モードから送信モードへ切り替える過程のための時間間隔（ｔｉｍｅ  ｇａｐ）が必要である。
【０１４７】
このため、該当スロット構造において、ＤＬからＵＬへ切り替えられる時点の一部ＯＦＤＭシンボルが保護区間（ｇｕａｒｄ  ｐｅｒｉｏｄ、ＧＰ）に設定される。
【０１４８】
アナログビームフォーミング（Ａｎａｌｏｇ  ｂｅａｍｆｏｒｍｉｎｇ）
【０１４９】
ミリ波（Ｍｉｌｌｉｍｅｔｅｒ  Ｗａｖｅ、ｍｍＷ）では、波長が短くなり、同じ面積に多数個のアンテナ要素（ｅｌｅｍｅｎｔ）の設置が可能になる。
【０１５０】
即ち、３０ＧＨｚ帯域での波長は１ｃｍであって、４×４ｃｍのパネル（ｐａｎｅｌ）に０．５ラムダ（ｌａｍｂｄａ）（波長）間隔で二次元（２−ｄｉｍｅｎｓｉｏｎ）配列の形態で合計６４（８×８）個のアンテナ要素の設置が可能である。
【０１５１】
従って、ｍｍＷでは、多数個のアンテナ要素を用いて、ビームフォーミング（ｂｅａｍｆｏｒｍｉｎｇ）（ＢＦ）の利得を高めて、カバレッジを増加させたり、スループット（ｔｈｒｏｕｇｈｐｕｔ）を高めようとする。
【０１５２】
この場合、アンテナ要素別に送信パワー及び位相の調節が可能なように、ＴＸＲＵ（Ｔｒａｎｓｃｅｉｖｅｒ  Ｕｎｉｔ）を有すると、周波数リソース別に独立したビームフォーミングが可能である。
【０１５３】
しかし、約１００個のアンテナ要素に全てＴＸＲＵを設置するには、価格面において実効性が低いという問題を有することになる。
【０１５４】
従って、一つのＴＸＲＵに多数個のアンテナ要素をマッピングし、アナログ位相シフタ（ａｎａｌｏｇ  ｐｈａｓｅ  ｓｈｉｆｔｅｒ）でビーム（ｂｅａｍ）の方向を調節する方式が考慮されている。
【０１５５】
このようなアナログビームフォーミング方式は、全帯域において一つのビーム方向のみを作ることができ、周波数選択的ビームフォーミングを行うことができないという短所を有する。
【０１５６】
このような理由により、デジタルＢＦとアナログＢＦの中間形態で、Ｑ個のアンテナ要素よりも少ない個数であるＢ個のＴＸＲＵを有するハイブリッドＢＦ（ｈｙｂｒｉｄ  ＢＦ（ＨＢＦ））を考慮し得る。
【０１５７】
ＨＢＦは、Ｂ個のＴＸＲＵとＱ個のアンテナ要素の接続方式によって差はあるが、同時に送信することができるビームの方向は、Ｂ個以下に制限されることになる。
【０１５８】
図６は、本明細書で提案する方法が適用できるＴＸＲＵとアンテナ要素の接続方式の一例を示す。
【０１５９】
ここで、ＴＸＲＵの仮想化（ｖｉｒｔｕａｌｉｚａｔｉｏｎ）モデルは、ＴＸＲＵの出力信号とアンテナ要素の出力信号の関係を示す。
【０１６０】
図６の（ａ）は、ＴＸＲＵがサブアレイ（ｓｕｂ−ａｒｒａｙ）に接続された方式の一例を示す。
【０１６１】
図６の（ａ）を参照すると、アンテナ要素は、一つのＴＸＲＵのみに接続される。図６の（ａ）と異なり、図６の（ｂ）は、ＴＸＲＵが全てのアンテナ要素に接続された方式を示す。
【０１６２】
即ち、図６の（ｂ）の場合、アンテナ要素は全てのＴＸＲＵに接続される。
【０１６３】
図６において、Ｗはアナログ位相シフタによって掛けられる位相ベクトルを示す。
【０１６４】
即ち、Ｗによってアナログビームフォーミングの方向が決定される。ここで、ＣＳＩ−ＲＳアンテナポートとＴＸＲＵとのマッピングは、１対１（１−ｔｏ−１）又は１対多（１−ｔｏ−ｍａｎｙ）であり得る。
【０１６５】
ＣＳＩフィードバック（ＣＳＩ  ｆｅｅｄｂａｃｋ）
【０１６６】
３ＧＰＰ  ＬＴＥ（−Ａ）システムでは、ユーザ機器（ＵＥ）がチャネル状態情報（ＣＳＩ）を基地局（ＢＳ）に報告するように定義されている。
【０１６７】
ここで、チャネル状態情報（ＣＳＩ）とは、ＵＥとアンテナポートとの間で形成される無線チャネル（或いは「リンク」ともいう）の品質を示せる情報を称する。
【０１６８】
例えば、ランク指示子（ｒａｎｋ  ｉｎｄｉｃａｔｏｒ、ＲＩ）、プリコーディング行列指示子（ｐｒｅｃｏｄｉｎｇ  ｍａｔｒｉｘ  ｉｎｄｉｃａｔｏｒ、ＰＭＩ）、チャネル品質指示子（ｃｈａｎｎｅｌ  ｑｕａｌｉｔｙ  ｉｎｄｉｃａｔｏｒ、ＣＱＩ）等がこれに該当する。
【０１６９】
ここで、ＲＩはチャネルのランク（ｒａｎｋ）情報を示し、これは、ＵＥが同一の時間−周波数リソースを介して受信するストリームの個数を意味する。この値は、チャネルの長い周期のフェーディング（ｆａｄｉｎｇ）によって従属されて決定されるので、ＰＭＩ、ＣＱＩよりも通常さらに長い周期を持ってＵＥからＢＳにフィードバックされる。
【０１７０】
ＰＭＩはチャネルの空間特性を反映した値であって、ＳＩＮＲ等のメトリック（ｍｅｔｒｉｃ）を基準に、ＵＥが好むプリコーディングインデックスを示す。
【０１７１】
ＣＱＩはチャネルの強度を示す値であって、一般に基地局（ＢＳ）がＰＭＩを用いたときに得られる受信のＳＩＮＲを意味する。
【０１７２】
３ＧＰＰ  ＬＴＥ（−Ａ）システムで、基地局は多数個のＣＳＩプロセスをＵＥに設定し、各プロセスに対するＣＳＩの報告を受けることができる。
【０１７３】
ここで、ＣＳＩプロセスは基地局からの信号品質の特定のためのＣＳＩ−ＲＳとの干渉測定のためのＣＳＩ−干渉測定（ＣＳＩ−Ｉｎｔｅｒｆｅｒｅｎｃｅ  ｍｅａｓｕｒｅｍｅｎｔ、ＣＳＩ−ＩＭ）リソースで構成される。
【０１７４】
参照信号仮想化（ＲＳ  ｖｉｒｔｕａｌｉｚａｔｉｏｎ）
【０１７５】
ｍｍＷでアナログビームフォーミングにより一つの時点に一つのアナログビームの方向のみにＰＤＳＣＨ送信が可能である。
【０１７６】
よって、基地局は特定方向にある一部の少数のＵＥにのみデータを送信することになる。
【０１７７】
従って、必要に応じて、アンテナポート別にアナログビームの方向を異ならせて設定し、様々なアナログビームの方向にある多数のＵＥに同時にデータ送信を行うことができるようにする。
【０１７８】
図７は、本明細書で提案する方法が適用できるＴＸＲＵ別サービス領域の多様な一例を示す。
【０１７９】
図７の場合、２５６のアンテナ要素を４等分し、４個のサブアレイ（ｓｕｂ−ａｒｒａｙ）を形成し、各サブアレイ（ｓｕｂ−ａｒｒａｙ）にＴＸＲＵを接続した構造に関するもので、これを例に挙げて説明する。
【０１８０】
各サブアレイが二次元（ｄｉｍｅｎｓｉｏｎ）配列の形態で合計６４（８×８）のアンテナ要素で構成されると、特定のアナログビームフォーミングにより１５度の水平角領域と１５度の垂直角領域に該当する地域をカバーすることができることになる。
【０１８１】
即ち、基地局がサービスすべき地域を多数個の領域に分け、一度に一つずつサービスすることになる。
【０１８２】
以下の説明で、ＣＳＩ−ＲＳのアンテナポートとＴＸＲＵは、１対１（１−ｔｏ−１）マッピングされたと仮定する。
【０１８３】
従って、アンテナポートとＴＸＲＵは、以下の説明で同じ意味を有するものと解釈され得る。
【０１８４】
図７の（ａ）のように、全てのＴＸＲＵ（アンテナポート、サブアレイ）が同じアナログビームフォーミングの方向を有すると、より高い分解能（ｒｅｓｏｌｕｔｉｏｎ）を有するデジタルビームを形成し、該当地域のスループット（ｔｈｒｏｕｇｈｐｕｔ）を増加させることができる。
【０１８５】
また、該当地域に送信データのランク（ｒａｎｋ）を増加させて、該当地域のスループットを増加させることができる。
【０１８６】
また、図７の（ｂ）のように、各ＴＸＲＵ（アンテナポート、サブアレイ）が異なるアナログビームフォーミングの方向を有すると、より広い領域に分布されたＵＥに該当サブフレーム（ＳＦ）で同時にデータ送信が可能になる。
【０１８７】
図７の（ｂ）に示されたように、４個のアンテナポートのうち２個は、領域１にあるＵＥ１にＰＤＳＣＨ送信のために使用し、残りの２個は領域２にあるＵＥ２にＰＤＳＣＨ送信のために使用するようにする。
【０１８８】
また、図７の（ｂ）は、ＵＥ１に送信されるＰＤＳＣＨ１とＵＥ２に送信されるＰＤＳＣＨ２がＳＤＭ（Ｓｐａｔｉａｌ  Ｄｉｖｉｓｉｏｎ  Ｍｕｌｔｉｐｌｅｘｉｎｇ）された例を示す。
【０１８９】
これと異なり、図７の（ｃ）のように、ＵＥ１に送信されるＰＤＳＣＨ１とＵＥ２に送信されるＰＤＳＣＨ２がＦＤＭ（Ｆｒｅｑｕｅｎｃｙ  Ｄｉｖｉｓｉｏｎ  Ｍｕｌｔｉｐｌｅｘｉｎｇ）されて送信されることもある。
【０１９０】
全てのアンテナポートを使用して一つの領域をサービスする方式と、アンテナポートを分けて様々な領域を同時にサービスする方式のうち、セルスループット（ｃｅｌｌ  ｔｈｒｏｕｇｈｐｕｔ）を最大化するために、ＵＥにサービスするランク及びＭＣＳに応じて、好まれる方式が変わり得る。
【０１９１】
また、各ＵＥに送信するデータの量に応じても、好まれる方式が変わることになる。
【０１９２】
基地局は、全てのアンテナポートを使用し、一つの領域をサービスするときに得られるセルスループットまたはスケジューリングメトリック（ｓｃｈｅｄｕｌｉｎｇ  ｍｅｔｒｉｃ）を計算し、アンテナポートを分けて二つの領域をサービスするときに得られるセルスループットまたはスケジューリングメトリックを計算する。
【０１９３】
基地局は各方式を通じて得られるセルスループットまたはスケジューリングメトリックを比較し、最終の送信方式を選択するようにする。
【０１９４】
結果、ＳＦ−ｂｙ−ＳＦでＰＤＳＣＨ送信に参加するアンテナポートの個数が変動することになる。
【０１９５】
基地局がアンテナポートの個数によるＰＤＳＣＨの送信ＭＣＳを計算し、スケジューリングのアルゴリズムに反映するために、これに好適なＵＥからのＣＳＩフィードバックが要求される。
【０１９６】
ビーム参照信号（ｂｅａｍ  ｒｅｆｅｒｅｎｃｅ  ｓｉｇｎａｌ、ＢＲＳ）
【０１９７】
ビーム参照信号（ＢＲＳ）は、一つ又はそれ以上のアンテナポート（ｐ＝｛０、１、．．．、７｝上で送信される。
【０１９８】
ＢＲＳのシーケンスの生成に関して、参照信号のシーケンスｒｌ（ｍ）は、数式２によって定義される。
【０１９９】
【数２】
2020508005.tif 000042
【０２００】
数式２において、ｌは０乃至１３で、ＯＦＤＭシンボルの番号を表す。また、ｃ（ｉ）は、擬似乱数シーケンス（ｐｓｅｕｄｏ−ｒａｎｄｏｍ  ｓｅｑｕｅｎｃｅ）を意味し、擬似乱数シーケンスの生成器は、各ＯＦＤＭシンボルの開始において数式３で初期化され得る。
【０２０１】
【数３】
2020508005.tif 000043
【０２０２】
ビーム補正参照信号（ｂｅａｍ  ｒｅｆｉｎｅｍｅｎｔ  ｒｅｆｅｒｅｎｃｅ  ｓｉｇｎａｌ）
【０２０３】
また、ビーム補正参照信号（ｂｅａｍ  ｒｅｆｉｎｅｍｅｎｔ  ｒｅｆｅｒｅｎｃｅ  ｓｉｇｎａｌ）に関して、ビーム補正参照信号は、８個のアンテナポート（ｐ＝６００乃至６０７）までのアンテナポートを介して送信される。
【０２０４】
ビーム補正参照信号のシーケンスの生成に関して、参照信号ｒｌ，ｎｓ（ｍ）は、数式４のように生成される。
【０２０５】
【数４】
2020508005.tif 000044
【０２０６】
数式４において、ｎｓは、無線フレーム内のスロットの番号を表し、ｌは、スロット内のＯＦＤＭシンボルの番号を表す。ｃ（ｎ）は、擬似乱数シーケンスを意味し、擬似乱数シーケンスの生成器は、各ＯＦＤＭシンボルの開始において数式５で初期化される。
【０２０７】
【数５】
2020508005.tif 000045
【０２０８】
数式５において、
2020508005.tif 000046
は、ＲＲＣシグナリングを介して端末に設定される。
【０２０９】
ＤＬ位相雑音補償参照信号（ＤＬ  Ｐｈａｓｅ  ｎｏｉｓｅ  ｃｏｍｐｅｎｓａｔｉｏｎ  ｒｅｆｅｒｅｎｃｅ  ｓｉｇｎａｌ）
【０２１０】
ｘＰＤＳＣＨ（即ち、ＮＲシステムで支援するＰＤＳＣＨ）と関連した位相雑音補償参照信号は、ＤＣＩフォーマットでのシグナリングを介して、アンテナポートｐ＝６０及び／又はｐ＝６１で送信される。また、位相雑音補償参照信号は、該当アンテナポートと関連したｘＰＤＳＣＨ送信に対してのみ存在し（ｐｒｅｓｅｎｔ）及び／又は有効（ｖａｌｉｄ）であり、該当ｓＰＤＳＣＨがマッピングされた物理リソースブロック及びシンボルでのみ送信される。また、位相雑音補償参照信号は、ｘＰＤＳＣＨの割り当てに該当する全てのシンボルで同一である。
【０２１１】
位相雑音補償参照信号のシーケンスの生成に関して、参照信号のシーケンスｒ（ｍ）は、数式６によって定義される。
【０２１２】
【数６】
2020508005.tif 000047
【０２１３】
数式６にいて、ｃ（ｉ）は擬似乱数シーケンスを意味し、擬似乱数シーケンスの生成器は、各サブフレームの開始において数式７で初期化される。
【０２１４】
【数７】
2020508005.tif 000048
【０２１５】
数式７において、ｘＰＤＳＣＨ送信の場合、ｎＳＣＩＤはｘＰＤＳＣＨ送信と関連したＤＣＩフォーマットによって与えられ、特別な場合でなければ、０に設定される。
【０２１６】
また、３Ｄ−ＭＩＭＯ（３−ｄｉｍｅｎｓｉｏｎ  ｍｕｌｔｉｐｌｅ−ｉｎｐｕｔ  ｍｕｌｔｉｐｌｅ−ｏｕｔｐｕｔ）又はＦＤ−ＭＩＭＯ（Ｆｕｌｌ−ｄｉｍｅｎｓｉｏｎ  ｍｕｌｔｉｐｌｅ−ｉｎｐｕｔ  ｍｕｌｔｉｐｌｅ−ｏｕｔｐｕｔ）技術の場合、二次元平面アレイ構造（２−ｄｉｍｅｎｓｉｏｎａｌ  ｐｌａｎａｒ  ａｒｒａｙ  ｓｔｒｕｃｔｕｒｅ）を有するアクティブアンテナシステム（Ａｃｔｉｖｅ  Ａｎｔｅｎｎａ  Ｓｙｓｔｅｍ、ＡＡＳ）が利用され得る。
【０２１７】
図８は、本明細書で提案する方法が適用できる二次元平面アレイ構造を用いるＭＩＭＯシステムの一例を示す。
【０２１８】
二次元平面アレイ構造を通じて、多くの数のアンテナ要素（ａｎｔｅｎｎａ  ｅｌｅｍｅｎｔ）が可能な基地局形態の要素内でパッキング（ｐａｃｋｉｎｇ）されるだけでなく、三次元の空間における適応的なビームフォーミング（ａｄａｐｔｉｖｅ  ｅｌｅｃｔｒｏｎｉｃ）能力を提供することもできる。
【０２１９】
ＮＲシステムのＭＩＭＯの設計に関して、基地局と端末間のチャネル状態測定及び報告のためのＣＳＩフレームワーク（ＣＳＩ  ｆｒａｍｅｗｏｒｋ）が考慮されている。
【０２２０】
本明細書は、以下説明されるＣＳＩフレームワーク（又はＣＳＩ獲得フレームワーク）に基づいたＣＳＩ報告方法を提案する。具体的に、本明細書は、ＣＳＩフレームワークのＣＳＩ報告設定（ＣＳＩ  ｒｅｐｏｒｔｉｎｇ  ｓｅｔｔｉｎｇ）に基づき、ＣＳＩ測定（又は推定）に対する測定間隔（又は時点）を決定する方法を提案する。言い換えると、本明細書では、ＣＳＩ測定に用いられるＣＳＩ−ＲＳ及び／又はＣＳＩ測定の時間区間（ｔｉｍｅ  ｇａｐ）を決定する方法が説明される。
【０２２１】
まず、ＮＲシステムで考慮されるＣＳＩフレームワークについて具体的に見る。
【０２２２】
ＣＳＩフレームワークは、レガシーＬＴＥシステムでＣＳＩ関連手続がＣＳＩプロセス（ＣＳＩ  ｐｒｏｃｅｓｓ）の形態のみで規定されていることとは異なり、ＣＳＩ報告設定（ＣＳＩ  ｒｅｐｏｒｔｉｎｇ  ｓｅｔｔｉｎｇ）、リソース設定（ｒｅｓｏｕｒｃｅ  ｓｅｔｔｉｎｇ）、及びＣＳＩ測定設定（ＣＳＩ  ｍｅａｓｕｒｅｍｅｎｔ  ｓｅｔｔｉｎｇ）を用いて、ＣＳＩ関連手続を規定することを意味し得る。これを通じて、ＮＲシステムでは、ＣＳＩ関連手続はチャネル及び／又はリソースの状況に合わせて、より柔軟な（ｆｌｅｘｉｂｌｅ）方式で行われ得る。
【０２２３】
即ち、ＮＲシステムにおけるＣＳＩ関連手続に対する設定は、ＣＳＩ報告設定、リソース設定、及びＣＳＩ測定設定間の組み合わせによって定義され得る。
【０２２４】
例えば、端末は、Ｎ≧１個のＣＳＩ報告設定、Ｍ≧１個のリソース設定、及び一つのＣＳＩ測定設定でＣＳＩ獲得のために設定され得る。ここで、ＣＳＩ測定設定は、Ｎ個のＣＳＩ報告設定と、Ｍ個のリソース設定との間のリンク関係（ｌｉｎｋ）に対する設定情報を意味し得る。また、ここで、リソース設定は、参照信号設定（ＲＳ  ｓｅｔｔｉｎｇｓ）及び／又は干渉測定設定（Ｉｎｔｅｒｆｅｒｅｎｃｅ  Ｍｅａｓｕｒｅｍｅｎｔ  ｓｅｔｔｉｎｇｓ、ＩＭ  ｓｅｔｔｉｎｇｓ）を含む。
【０２２５】
図９は、本明細書で提案する方法が適用できるＮＲシステムで考慮されるＣＳＩフレームワーク（ＣＳＩ  ｆｒａｍｅｗｏｒｋ）の一例を示す。
【０２２６】
図９を参照すると、ＣＳＩフレームワークは、報告設定（Ｒｅｐｏｒｔｉｎｇ  ｓｅｔｔｉｎｇ）９０２、測定設定（Ｍｅａｓｕｒｅｍｅｎｔ  ｓｅｔｔｉｎｇ）９０４、及びリソース設定（Ｒｅｓｏｕｒｃｅ  ｓｅｔｔｉｎｇ）９０６に設定され得る。ここで、報告設定はＣＳＩの報告設定を意味し、測定設定はＣＳＩの測定設定を意味し、リソース設定はＣＳＩ−ＲＳのリソース設定を意味し得る。
【０２２７】
図９に示されたように、報告設定９０２は、Ｎ個の（Ｎ≧１）報告設定（例：Ｒｅｐｏｒｔｉｎｇ  ｓｅｔｔｉｎｇ  ｎ１、Ｒｅｐｏｒｔｉｎｇ  ｓｅｔｔｉｎｇ  ｎ２等）で構成され得る。
【０２２８】
また、リソース設定９０６は、Ｍ個の（Ｍ≧１）リソース設定（例：Ｒｅｓｏｕｒｃｅ  ｓｅｔｔｉｎｇ  ｍ１、Ｒｅｓｏｕｒｃｅ  ｓｅｔｔｉｎｇ  ｍ２、Ｒｅｓｏｕｒｃｅ  ｓｅｔｔｉｎｇ  ｍ３等）で構成され得る。ここで、各リソース設定は、Ｓ個の（Ｓ≧１）リソース集合（ｒｅｓｏｕｒｃｅ  ｓｅｔ）を含み得るものであり、各リソース集合は、Ｋ個の（Ｋ≧１）ＣＳＩ−ＲＳリソースを含み得る。
【０２２９】
また、測定設定９０４は、報告設定とリソース設定間のリンク（ｌｉｎｋ）関係及び該当リンクに対して設定された測定類型を示す設定情報を意味し得る。この場合、各測定設定は、Ｌ個の（Ｌ≧１）リンクを含み得る。例えば、測定設定は、Ｒｅｐｏｒｔｉｎｇ  ｓｅｔｔｉｎｇ  ｎ１とＲｅｓｏｕｒｃｅ  ｓｅｔｔｉｎｇ  ｍ１間のリンク（Ｌｉｎｋ  ｌ１）に対する設定情報、Ｒｅｐｏｒｔｉｎｇ  ｓｅｔｔｉｎｇ  ｎ１とＲｅｓｏｕｒｃｅ  ｓｅｔｔｉｎｇ  ｍ２間のリンク（ Ｌｉｎｋ  ｌ２）に対する設定情報などを含み得る。
【０２３０】
このとき、Ｌｉｎｋ  ｌ１及びＬｉｎｋ  ｌ２の各々は、チャネル測定用リンク又は干渉測定用リンクのいずれかに設定され得る。のみならず、Ｌｉｎｋ  ｌ１及び／又はＬｉｎｋ  ｌ２は、レートマッチング（ｒａｔｅ  ｍａｔｃｈｉｎｇ）又は異なる用途に設定されることもある。
【０２３１】
この場合、一つのＣＳＩ測定設定内で一つ又はそれ以上のＣＳＩ報告設定がＬ１（Ｌａｙｅｒ  １）又はＬ２（Ｌａｙｅｒ  ２）のシグナリングを介して、動的に（ｄｙｎａｍｉｃａｌｌｙ）選択され得る。また、少なくとも一つのリソース設定から選択された一つ又はそれ以上のＣＳＩ−ＲＳリソース集合、及び少なくとも一つのＣＳＩ−ＲＳリソース集合から選択された一つ又はそれ以上のＣＳＩ−ＲＳリソースも、Ｌ１又はＬ２のシグナリングを介して動的に選択され得る。
【０２３２】
以下、ＮＲシステムで考慮されるＣＳＩフレームワークを構成するＣＳＩ報告設定、リソース設定（すなわち、ＣＳＩ−ＲＳリソース設定）、及びＣＳＩ測定設定について見る。
【０２３３】
ＣＳＩ報告設定（ＣＳＩ  ｒｅｐｏｒｔｉｎｇ  ｓｅｔｔｉｎｇ）
【０２３４】
まず、ＣＳＩ報告設定は、端末が基地局によって行うＣＳＩ報告の類型、該当ＣＳＩ報告に含まれる情報等を設定するための情報を意味し得る。
【０２３５】
例えば、ＣＳＩ報告設定は、時間領域の動作類型（ｔｉｍｅ−ｄｏｍａｉｎ  ｂｅｈａｖｉｏｒ  ｔｙｐｅ）、周波数細分性（ｆｒｅｑｕｅｎｃｙ  ｇｒａｎｕｌａｒｉｔｙ）、報告されるＣＳＩパラメータ（例：ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＣＱＩ（Ｃｈａｎｎｅｌ  Ｑｕａｌｉｔｙ  Ｉｎｄｉｃａｔｏｒ））、ＣＳＩ類型（例：ＣＳＩ  Ｔｙｐｅ  １又は２、高い複雑度のＣＳＩ、低い複雑度のＣＳＩ）、コードブック部分集合制限（ｃｏｄｅｂｏｏｋ  ｓｕｂｓｅｔ  ｒｅｓｔｒｉｃｔｉｏｎ）を含むコードブック設定、測定制限（ｍｅａｓｕｒｅｍｅｎｔ  ｒｅｓｔｒｉｃｔｉｏｎ）設定などを含み得る。
【０２３６】
本明細書において、時間領域の動作類型は、非周期的（ａｐｅｒｉｏｄｉｃ）動作、周期的（ｐｅｒｉｏｄｉｃ）動作、又は半持続的（ｓｅｍｉ−ｐｅｒｓｉｓｔｅｎｔ）動作を意味し得る。
【０２３７】
このとき、ＣＳＩ報告設定に対する設定パラメータは、上位層シグナリング（ｈｉｇｈｅｒ  ｌａｙｅｒ  ｓｉｇｎａｌｉｎｇ）（例：ＲＲＣシグナリング）を介して設定（又は指示）され得る。
【０２３８】
リソース設定（ｒｅｓｏｕｒｃｅ  ｓｅｔｔｉｎｇ）
【０２３９】
次に、リソース設定は、ＣＳＩ測定及び報告のために利用するリソースを設定するための情報を意味し得る。例えば、リソース設定は、時間領域の動作類型、ＲＳの類型（例：ＮＺＰ  ＣＳＩ−ＲＳ（Ｎｏｎ−Ｚｅｒｏ  Ｐｏｗｅｒ  ＣＳＩ−ＲＳ）、ＺＰ  ＣＳＩ−ＲＳ（Ｚｅｒｏ  Ｐｏｗｅｒ  ＣＳＩ−ＲＳ）、ＤＭＲＳ等）、Ｋ個のリソースで構成されたリソース集合等を含み得る。
【０２４０】
前記で言及したように、各リソース設定は、一つ以上のリソース集合を含んでもよく、各リソース集合は、一つ以上のリソース（例：ＣＳＩ−ＲＳリソース）を含んでもよい。また、リソース設定は、チャネル測定及び／又は干渉測定のための信号に対する設定を含んでもよい。
【０２４１】
一例として、各リソース設定は、Ｓ個のリソース集合（例：ＣＳＩ−ＲＳリソース集合）に対する設定情報を含み、各リソース集合に対するＫ個のリソース）に対する設定情報も含み得る。このとき、各リソース集合は、端末に対して設定された全てのＣＳＩ−ＲＳリソースのプール（ｐｏｏｌ）から異なって選択された集合に該当し得る。また、各リソースに対する設定情報は、リソース要素へのマッピング、ポートの数、時間領域の動作類型等に関する情報を含み得る。
【０２４２】
或いは、別の例として、各リソース設定は、Ｓ個のＣＳＩ−ＲＳリソースに対する設定情報及び／又は各ＣＳＩ−ＲＳリソースに対して、同一であるか小さい数のポートのＫ個のＣＳＩ−ＲＳリソースに対する設定情報を含むこともある。
【０２４３】
このとき、Ｎ−ポートのＣＳＩ−ＲＳリソースのＣＳＩ−ＲＳ  ＲＥマッピングのパターンは、同一であるかさらに少ないポートの数（例：２、４、又は８）のＣＳＩ−ＲＳリソースの一つ又はそれ以上のＣＳＩ−ＲＳマッピングのパターンで構成され得る。ここで、ＣＳＩ−ＲＳ  マッピングのパターンはスロット内で定義され得るものであり、多数の設定可能な連続的／非連続的ＯＦＤＭシンボルにわたり得る（ｓｐａｎ）。
【０２４４】
この場合、リソース設定に対する設定パラメータは、上位層のシグナリング（例：ＲＲＣシグナリング）を介して設定され得る。
【０２４５】
ＣＳＩ測定設定（ＣＳＩ  ｍｅａｓｕｒｅｍｅｎｔ  ｓｅｔｔｉｎｇ）
【０２４６】
次に、ＣＳＩ測定設定は、端末がＣＳＩ報告のために特定のＣＳＩ報告設定とこれにマッピングされた特定のリソース設定に対してどんな測定を行うかを示す設定情報を意味し得る。即ち、ＣＳＩ測定設定は、ＣＳＩ報告設定とリソース設定間のリンク関係に対する情報を含み、各リンク（ｌｉｎｋ）に対する測定類型を示す情報を含み得る。また、測定類型は、チャネル測定（ｃｈａｎｎｅｌ  ｍｅａｓｕｒｅｍｅｎｔ）、干渉測定（ｉｎｔｅｒｆｅｒｅｎｃｅ  ｍｅａｓｕｒｅｍｅｎｔ）、レートマッチング（ｒａｔｅ  ｍａｔｃｈｉｎｇ）等を意味し得る。
【０２４７】
一例として、ＣＳＩ測定設定は、ＣＳＩ報告設定を示す情報、リソース設定を示す情報、ＣＱＩの場合、基準送信方式（ｒｅｆｅｒｅｎｃｅ  ｔｒａｎｓｍｉｓｓｉｏｎ  ｓｃｈｅｍｅ）に対する設定を含み得る。これに関して、端末は、Ｌ≧１個のＣＳＩ測定設定を支援し得、Ｌ値は、該当端末の能力に応じて設定され得る。
【０２４８】
このとき、一つのＣＳＩ報告設定は、一つ又はそれ以上のリソース設定に接続されてもよく、多数のＣＳＩ報告設定が同じリソース設定に対して接続されてもよい。
【０２４９】
この場合、ＣＳＩ測定設定に対する設定パラメータは、上位層のシグナリング（例：ＲＲＣシグナリング）を介して設定され得る。
【０２５０】
また、前述したＣＳＩ報告設定、リソース設定、及びＣＳＩ測定設定に関して、時間領域の動作類型による合意事項は次の通りである。
【０２５１】
まず、周期的ＣＳＩ−ＲＳの場合（即ち、ＣＳＩ−ＲＳの送信が周期的に行われる場合）、半持続的ＣＳＩ報告は、ＭＡＣ  ＣＥ及び／又はダウンリンク制御情報（Ｄｏｗｎｌｉｎｋ  Ｃｏｎｔｒｏｌ  Ｉｎｆｏｒｍａｔｉｏｎ、ＤＣＩ）によって活性化（ａｃｔｉｖａｔｉｏｎ）／非活性化（ｄｅａｃｔｉｖａｔｉｏｎ）され得る。これと異なり、非周期的ＣＳＩ報告は、ＤＣＩによってトリガリングされ得るものであり、但し、この場合、ＭＡＣ  ＣＥに設定された追加的なシグナリングが必要であり得る。
【０２５２】
次に、半持続的ＣＳＩ−ＲＳの場合（即ち、ＣＳＩ−ＲＳの送信が半持続的に行われる場合）、周期的ＣＳＩ報告は支援されない。反面、半持続的ＣＳＩ報告は、ＭＡＣ−ＣＥ及び／又はＤＣＩによって活性化／非活性化され得るものであり、半持続的ＣＳＩ−ＲＳは、ＭＡＣ−ＣＥ及び／又はＤＣＩによって活性化／非活性化され得る。また、この場合、非周期的ＣＳＩ報告はＤＣＩによってトリガリングされ得るものであり、半持続的ＣＳＩ−ＲＳはＭＡＣ−ＣＥ及び／又はＤＣＩによって活性化／非活性化され得る。
【０２５３】
最後に、非周期的ＣＳＩ−ＲＳの場合（即ち、ＣＳＩ−ＲＳの送信が非周期的に行われる場合）、周期的（及び半持続的）ＣＳＩ報告は支援されない。反面、非周期的ＣＳＩ報告はＤＣＩによってトリガリングされ得るものであり、非周期的ＣＳＩ−ＲＳはＤＣ及び／又はＭＡＣ−ＣＥによってトリガリングされ得る。
【０２５４】
以下、本明細書で説明される実施例は、説明の便宜のために区分されたものであるだけで、ある実施例の一部の構成や特徴は別の実施例に含まれてもよく、又は別の実施例の対応する構成又は特徴と交換してもよい。例えば、以下の第１実施例乃至第３実施例で説明される方式が第４実施例で説明される方式に適用されてもよく、その逆の場合も可能である。
【０２５５】
以下、前述したリソース設定（即ち、ＣＳＩ−ＲＳリソース設定）、ＣＳＩ測定設定、及びＣＳＩ報告設定に対して考慮され得る設定方法について見る。
【０２５６】
第１実施例−リソース設定（ｒｅｓｏｕｒｃｅ  ｓｅｔｔｉｎｇ）に対して考慮可能な設定方法
【０２５７】
まず、前述したリソース設定に関して、ＣＳＩ−ＲＳリソース設定は、ＮＺＰ  ＣＳＩ−ＲＳ及びＺＰ  ＣＳＩ−ＲＳのような二つの類型のＲＳ類型を含み得る（参考までに、本明細書で言及されるＣＳＩ−ＲＳは、ＮＺＰ  ＣＳＩ−ＲＳ及びＺＰ  ＣＳＩ−ＲＳにいずれも適用され得る）。
【０２５８】
ＣＳＩ測定設定内で特定リソースの用途が各々指示されるため、ＮＺＰ  ＣＳＩ−ＲＳリソース及びＺＰ  ＣＳＩ−ＲＳリソースがいずれも該当リソース設定内で設定され得る。ここで、ＺＰ  ＣＳＩ−ＲＳは、干渉推定（即ち、干渉測定（ｉｎｔｅｒｆｅｒｅｎｃｅ  ｍｅａｓｕｒｅｍｅｎｔ））用途又はデータチャネル（例：ＮＲ−ＰＤＳＣＨ）のレートマッチング（ｒａｔｅ  ｍａｔｃｈｉｎｇ）用途に適用され得る。また、ＮＺＰ  ＣＳＩ−ＲＳは、チャネル推定（即ち、チャネル測定（ｃｈａｎｎｅｌ  ｍｅａｓｕｒｅｍｅｎｔ））用途だけでなく、干渉推定用途にも適用され得る。
【０２５９】
また、リソース設定に含まれるＮＺＰ  ＣＳＩ−ＲＳは、ＣＳＩ獲得及びビーム管理（ｂｅａｍ  ｍａｎａｇｅｍｅｎｔ）に対していずれも適用され得る。
【０２６０】
具体的に、ビーム管理のためのＣＳＩ−ＲＳリソースも、アナログビーム選択及びデジタルビーム選択に対する統合運用（ｕｎｉｆｉｅｄ  ｏｐｅｒａｔｉｏｎ）のためのリソース設定に含まれ得る。ＣＳＩ獲得の主要な機能のうちの一つは、ＰＭＩ及びＣＲＩ（ＣＳＩ−ＴＥ  Ｒｅｓｏｕｒｃｅ  Ｉｎｄｉｃａｔｉｏｎ）のような端末のフィードバック情報を介したビーム選択である。ＤＬビーム管理の目的もビームを選択することであり、ＴＲＰ送信ビームは、端末のフィードバック情報を介して選択され得る。単に、ＤＬビーム管理の追加機能が端末受信ビームを選択するものであるが、端末受信ビーム選択は、ＣＳＩ−ＲＳシンボル又はサブシンボルを介して多数の繰り返された送信ビームを送信することによって、簡単に支援され得る。結果、前述したＣＳＩフレームワークは、ビーム管理の目的でも利用され得る。
【０２６１】
このようなリソース設定に対して、非周期的ＣＳＩ−ＲＳ、半持続的ＣＳＩ−ＲＳ、及び周期的ＣＳＩ−ＲＳのような三つの時間領域の動作類型が支援され得る。この場合、前述した三つの時間領域の動作類型は、ＮＺＰ  ＣＳＩ−ＲＳ及びＺＰ  ＣＳＩ−ＲＳに対していずれも共通に適用され得る。これに関して、非周期的ＩＭＲ（Ｉｎｔｅｒｆｅｒｅｎｃｅ  Ｍｅａｓｕｒｅｍｅｎｔ  Ｒｅｓｏｕｒｃｅ）及び半持続的ＩＭＲは、動的な（ｄｙｎａｍｉｃ）ＴＤＤ動作及びＮＲシステムの前方互換性（ｆｏｒｗａｒｄ  ｃｏｍｐａｔｉｂｉｌｉｔｙ）を考慮したとき、高い干渉推定の正確度とシステム設計に対する高い柔軟性を提供することができる。
【０２６２】
また、リソース設定には、ＣＳＩ−ＲＳタイミングオフセット（以下、「Ｘ」と称する）が含まれ得る。ここで、ＸはＣＳＩ−ＲＳの送信に対するトリガリング／活性化／非活性化時点（タイミング、インスタンス）と実際のＣＳＩ−ＲＳの送信時点間の時間間隔（ｔｉｍｅ  ｇａｐ）を意味し得る。
【０２６３】
このとき、Ｘはスロットの数（即ち、スロット単位）又はシンボルの数（即ち、シンボル単位）の形態で表され得る。一例として、ＤＣＩによって非周期的ＣＳＩ−ＲＳトリガリングが行われる場合、Ｘは「０」に設定され得る。
【０２６４】
本発明の多様な実施例において、Ｘがネットワーク（即ち、基地局）によって設定されるとき、Ｘの候補値は上位層のメッセージ（例：ＲＲＣメッセージ）によって指示され、ＣＳＩフレームワーク上でリソース設定に含まれ得る。ここで、Ｘは設定可能なように支援される場合が仮定される。ここで、Ｘの候補値は、一定基準に応じて（又は規格（ｓｔａｎｄａｒｄ）に応じて）予め設定されたＸ値を意味し得る。即ち、Ｘが特定値（例：０）に設定されるのではなく、状況（又はサービス（ｓｅｒｖｉｃｅ））に応じて異なって利用され得る値（例：０、１、２）に設定され得る。
【０２６５】
例えば、端末は基地局からビーム管理のためのＸ値として「１」を指示されることができる。これによって、ＣＳＩ−ＲＳの送信が特定時点にトリガリングされた場合、該当端末は、特定時点を基準に「１」に該当する時間間隔（例：２スロット）以降にＣＳＩ−ＲＳが送信されることを認識することができる。
【０２６６】
或いは、別の例を挙げて、短い遅延（ｌａｔｅｎｃｙ）を要求するサービス（例：ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ））では、Ｘ値が他のサービスに比べて短く設定されることもある。
【０２６７】
この場合、チャネル測定又は干渉測定のために適用する前記Ｘ値は、Ｌ１又はＬ２シグナリング（例：ＤＣＩ又はＭＡＣ−ＣＥ）のような動的シグナリング（ｄｙｎａｍｉｃ  ｓｉｇｎａｌｉｎｇ）を介して指示されることもある。特に、前記Ｘ値に対する指示は、ＣＳＩ−ＲＳトリガリングのためのＭＡＣ−ＣＥ及び／又はＤＣＩに含まれ、共に伝達され得る。即ち、該当Ｘ値は、ＣＳＩ−ＲＳに対するトリガリング情報（例：トリガリングされるＣＳＩ−ＲＳリソース設定）と共に伝達され得る。
【０２６８】
また、ＣＳＩ−ＲＳトリガリングに対して、ＲＲＣシグナリングに設定されたリソース設定で、ＭＡＣ−ＣＥを介して候補リソースを選択した後、ＤＣＩに最終のリソースを選択する階層的シグナリング（ｈｉｅｒａｒｃｈｉｃａｌ  ｓｉｇｎａｌｉｎｇ）構造が適用されることもある。このとき、前記Ｘ値は、ＭＡＣ−ＣＥ又はＤＣＩの何れかに含まれ得る。或いは、ＭＡＣ−ＣＥを介して候補群を選択した後、ＤＣＩを介して最終のＸ値が設定（又は指示）されることもある。即ち、前記Ｘ値は、ＲＲＣシグナリング、ＭＡＣ−ＣＥ、及び／又はＤＣＩを用いて階層的に端末に指示され得る。
【０２６９】
また、前記Ｘ値は、特定状況（例：ＣＳＩ−ＲＳトリガリングとＣＳＩ報告トリガリングが同時に行われる場合）で、本明細書で提案するＣＳＩ測定間隔を決定する方法の適用の可否を設定するために用いられ得る。これに関する具体的な内容は、後続の図１２の部分で具体的に説明される。
【０２７０】
第２実施例−ＣＳＩ測定設定（ＣＳＩ  ｍｅａｓｕｒｅｍｅｎｔ  ｓｅｔｔｉｎｇ）に対して考慮可能な設定方法
【０２７１】
次に、前述したＣＳＩ測定設定に関して、ＮＲシステムでは、チャネル測定のための非周期的／半持続的／周期的リソース設定と干渉測定のための非周期的／半持続的／周期的リソース設定間の任意の組み合わせを支援する柔軟な測定設定（ｆｌｅｘｉｂｌｅ  ｍｅａｓｕｒｅｍｅｎｔ  ｓｅｔｔｉｎｇ）が許容され得る。
【０２７２】
特に、半持続的ＣＳＩ報告又は周期的ＣＳＩ報告を考慮したとき、Ｌ１／Ｌ２制御シグナリングを回避又は最小化するために、半持続的又は周期的干渉測定用リソース（例：ＺＰ  ＣＳＩ−ＲＳ及びＮＺＰ  ＣＳＩ−ＲＳ）が考慮される必要がある。また、非周期的ＣＳＩ−ＲＳの設定は、非周期的ＣＳＩ報告のための半持続的又は周期的干渉測定用リソースと関連付けることができる。逆に、半持続的又は周期的ＣＳＩ＿ＲＳは、非周期的ＣＳＩ報告のための非周期的干渉測定用リソースと関連付けることができる。
【０２７３】
結論として、測定設定は、非周期的／半持続的／持続的ＣＳＩ報告、チャネル測定のための非周期的／半持続的／持続的リソース設定（例：ＮＺＰ  ＣＳＩ−ＲＳ）、及び干渉測定のための非周期的／半持続的／持続的リソース設定（例：ＺＰＣＳＩ−ＲＳ及びＮＺＰ  ＣＳＩ−ＲＳ）間の柔軟なマッピング方式を支援する必要がある。
【０２７４】
また、本発明の多様な実施例において、ＣＳＩ測定設定内の特定リソース（即ち、リソース設定）がデータチャネル（例：ＮＲ−ＰＤＳＣＨ）の復調時のレートマッチングの用途に設定されることもある。言い換えると、レガシーＬＴＥシステムのＺＰ  ＣＳＩ−ＲＳのように、該当ＣＳＩ−ＲＳリソースが与える（又は受ける）干渉が大きいと判断される場合、基地局は該当リソースをヌリング（ｎｕｌｌｉｎｇ）する用途に設定し得る。これを通じて、該当指示を受ける端末のチャネル測定又は干渉測定の際に発生可能な干渉の程度が効率的に制御され得る。
【０２７５】
第３実施例−ＣＳＩ報告設定（ＣＳＩ  ｒｅｐｏｒｔｉｎｇ  ｓｅｔｔｉｎｇ）に対して考慮可能な設定方法
【０２７６】
次に、前述したＣＳＩ報告設定に関して、ＮＲシステムは、非周期的ＣＳＩ報告、半持続的ＣＳＩ報告、及び周期的ＣＳＩ報告を支援し得る。
【０２７７】
この場合、前述したＣＳＩ測定設定の構成（ＣＳＩ  ｍｅａｓｕｒｅｍｅｎｔ  ｓｅｔｔｉｎｇ  ｃｏｎｆｉｇｕｒａｔｉｏｎ）に応じて適切なＣＳＩ報告内容（ＣＳＩ  ｒｅｐｏｒｔｉｎｇ  ｃｏｎｔｅｎｔｓ）が定義される必要がある。
【０２７８】
まず、ＣＳＩ獲得のためのＣＳＩ−ＲＳリソースが特定の測定設定で指示される場合、該当ＣＳＩ報告の内容は、ＬＴＥシステム（特に、ｅＦＤ−ＭＩＭＯ  ＷＩ）で支援される既存のＣＳＩ報告類型であり得る。
【０２７９】
これと異なり、ビーム管理のためのＣＳＩ−ＲＳリソースが特定の測定設定で指示される場合、該当ＣＳＩ報告の内容は、ＤＬビーム管理を支援するための必須報告の内容に基づいて決定され得る。ＣＳＩリソース内の各ＣＳＩ−ＲＳポートは、異なるアナログビームに対応し得るので、該当ＣＳＩ報告の内容は、好適なビーム方向の情報（ｂｅａｍ  ｄｉｒｅｃｔｉｏｎ  ｉｎｆｏｒｍａｔｉｏｎ）を報告するためのペア（ｐａｉｒ）からなった情報（例：｛ＣＲＩ、ｐｏｒｔ  ｉｎｄｅｘ｝）であり得る。ビームに関する情報以外にも、ＲＳＲＰのようなビーム利得に関するメトリック（ｂｅａｍ  ｇａｉｎ  ｒｅｌａｔｅｄ  ｍｅｔｒｉｃ）も共に報告される必要がある。
【０２８０】
また、ＣＳＩ報告設定には、ＣＳＩ報告オフセット（ＣＳＩ  ｒｅｐｏｒｔｉｎｇ  ｏｆｆｓｅｔ）（以下、「Ｙ」と称する）が含まれ得る。ここで、ＹはＣＳＩ報告に対するトリガリング／活性化／非活性化の時点と、実際のＣＳＩ報告の時点（ＣＳＩ−ＲＳ  ｒｅｐｏｒｔｉｎｇ  ｉｎｓｔａｎｃｅ  ｏｒ  ｔｉｍｉｎｇ）との間の時間間隔を意味し得る。
【０２８１】
一例として、ＮＲシステムで考慮されるＤＬ−ＵＬ混合のスロット構造（ＤＬ−ＵＬ  ｍｉｘｅｄ  ｓｌｏｔ  ｓｔｒｕｃｔｕｒｅ）（例：自己完結型スロット構造）の場合、ＣＳＩ報告がトリガリングされたスロットでＣＳＩ報告が直ちに行われない場合が発生し得る。このような場合を考慮すると、ＣＳＩ報告がトリガリングされた時点と実際の端末がＣＳＩ報告を行う時点との間の間隔を示すＹ値が設定される必要がある。
【０２８２】
前記Ｙ値は、スロットの数（即ち、スロット単位）又はシンボルの数（即ち、シンボル単位）の形態で表され得るものであり、システム上で予め固定されているか、又はネットワーク（例：基地局）によって設定（又は指示）されることもある。
【０２８３】
このとき、前記Ｙに対する候補値は、ＣＳＩ報告設定に含まれた情報に応じて支援され得る。例えば、前記Ｙに対する候補値は、ＣＳＩパラメータ、ＣＳＩ類型（例：ＣＳＩ  ｔｙｐｅ  １又は２）、コードブック設定（ｃｏｄｅｂｏｏｋ  ｃｏｎｆｉｇｕｒａｔｉｏｎ）（例：コードブックのサイズ）、最近のＣＳＩ−ＲＳ送信時点（ｎｅａｒｅｓｔ  ＣＳＩ−ＲＳ  ｔｒａｎｓｍｉｓｓｉｏｎ  ｔｉｍｉｎｇ）、ＤＬ−ＵＬのスロット構造、端末能力、該当ＣＳＩ報告設定に関するＣＳＩの算出回数などに基づいて設定され得る。
【０２８４】
前記Ｙに対する候補値が前述した情報に基づいて設定される場合、Ｙ値に対する明示的な（ｅｘｐｌｉｃｉｔ）シグナリングは不要であり得る。勿論、この場合も、Ｙ値に対するシグナリングが行われてもよく、Ｙ値に対する下限値（ｌｏｗｅｒ  ｌｉｍｉｔ  ｖａｌｕｅ）が前述した情報に基づいて設定されてもよい。
【０２８５】
第４実施例−ＣＳＩ報告設定のパラメータ値を用いた柔軟な（ｆｌｅｘｉｂｌｅ）ＣＳＩ測定及び報告方法
【０２８６】
但し、端末のＣＳＩ測定及び報告に関して、前記Ｙ値と別に、該当端末が実際のＣＳＩ−ＲＳを受信した時点を基準にＣＳＩ報告を行うために要求される最小の時間間隔（以下「Ｚ」と称する）が考慮され得る。
【０２８７】
これは、端末が基地局からＣＳＩ−ＲＳを受信しても、指示された（即ち、トリガリングされた）ＣＳＩ報告の時点まで該当ＣＳＩ−ＲＳに対する測定を行うことができない場合が発生し得るためである。
【０２８８】
ここで、前記Ｚは、端末が基地局から受信されたＣＳＩ−ＲＳを用いてＣＳＩを報告するために要求される処理時間間隔を意味し得る。即ち、前記Ｚは、ＣＳＩ−ＲＳ送信の時点に対してＣＳＩ報告の時点間の最小の時間間隔（ｍｉｎｉｍｕｍ  ｔｉｍｅ  ｇａｐ）を意味し得る。また、前記Ｚは、ＣＳＩ報告に対する測定値を生成するための測定区間（ｍｅａｓｕｒｅｍｅｎｔ  ｉｎｔｅｒｖａｌ）（又は測定間隔（ｍｅａｓｕｒｅｍｅｎｔ  ｇａｐ））を設定する間隔情報（ｇａｐ  ｉｎｆｏｒｍａｔｉｏｎ）を意味し得る。
【０２８９】
一例として、端末が基地局によってトリガリングされたＣＳＩ報告を行う時点を基準に、前記Ｚ内（例：Ｚウィンドウ（Ｚ  ｗｉｎｄｏｗ））で受信されたＣＳＩ−ＲＳは、端末によって該当ＣＳＩ報告の時点まで正確に測定されることができず、これによって、該当ＣＳＩ報告で用いられないことがある。
【０２９０】
この場合、前記Ｚ値は、該当端末でＣＳＩ報告に要求されるＣＳＩ算出時間（即ち、ＣＳＩ処理時間（ＣＳＩ  ｐｒｏｃｅｓｓｉｎｇ  ｔｉｍｅ））を考慮して設定され得る。即ち、前記Ｚ値は、ＣＳＩ算出処理時間を決定する情報要素に応じて設定され得る。
【０２９１】
具体的に、前記Ｚ値は、ＣＳＩ報告設定のパラメータ（例：ＣＳＩパラメータ、ＣＳＩ類型、ＣＳＩコードブック類型、コードブックのサイズ、及びコードブックの集合（又はサブ集合）の制限を含むコードブック設定情報、ＣＱＩ及びＰＭＩに対する周波数細分性（ｆｒｅｑｕｅｎｃｙ  ｇｒａｎｕｌａｒｉｔｙ）等）及び端末の能力（ＵＥ  ｃａｐａｂｉｌｉｔｙ）（例：ＵＥ  ｃｏｍｐｕｔａｔｉｏｎ  ｃａｐａｂｉｌｉｔｙ）に応じて設定され得る。
【０２９２】
一例として、端末が用いるコードブックがサブ集合に設定され（即ち、グループ化され）、特定のコードブックのサブ集合に制限される場合、前記Ｚ値は小さく設定され得る。これは、コードブックのサブ集合が制限されると、該当端末がＣＳＩ測定を行うためにコードブックを選択するためにかかる時間が減少するためである。即ち、端末が全てのコードブックを全て適用せず、特定範囲のコードブックのみ用いるように設定される場合には、ネットワーク（又は基地局）によって前記Ｚ値が小さく設定され得る。
【０２９３】
また、前記Ｚ値は、Ｌ１又はＬ２シグナリングを介して動的に選択されるＣＳＩ報告設定の数に応じて決定されることもある。また、ＣＳＩ報告設定に対する時間領域の動作類型に応じて要求時間が変わり得る。具体的に、周期的ＣＳＩ報告設定が二つ指定された場合と、非周期的（又は半持続的）ＣＳＩ報告設定が二つ指定された場合に、Ｚ値が互いに異なって設定され得る。さらに、周期的ＣＳＩ報告設定が一つ指定された場合と、二つ指定された場合に対して、Ｚ値が互いに異なって設定されることもある。即ち、ＣＳＩ報告設定が端末に対してどのように設定されるかに応じて、Ｚ値が異なって設定され得る。
【０２９４】
前記Ｚ値は、基地局（又はネットワーク）によって端末別に設定又は指示され得る。例えば、前記Ｚ値は、上位層のシグナリング（例：ＲＲＣシグナリング）を介して伝達されるＣＳＩ報告設定情報に含まれ得る。別の例を挙げて、前記Ｚ値は、Ｌ１又はＬ２シグナリング（即ち、ＤＣＩ又はＭＡＣ−ＣＥ）を介して動的に指示される（又はトリガリングされる）ＣＳＩ報告設定と共に伝達されることもある。
【０２９５】
この場合、端末は、前記Ｚ値を自身の能力（ｃａｐａｂｉｌｉｔｙ）として基地局に報告し得る。端末がＺ値に対する端末能力を基地局に報告することによって、基地局は該当端末の能力を考慮し、Ｚ値を設定し得る。即ち、Ｚ値は端末の能力報告によって暗示的な（ｉｍｐｌｉｃｉｔ）方法で設定されることもある。
【０２９６】
以下、本明細書は、前述したＺ値（即ち、ＣＳＩ−ＲＳ送信の時点を基準にＣＳＩ報告の実行まで要求される時間を示す値）を考慮し、ＣＳＩ測定及び報告を行う具体的な方法を提案する。
【０２９７】
端末が基地局からＣＳＩ報告の指示を受けた場合（即ち、ＣＳＩ報告がトリガリングされた場合）、ＣＳＩ報告の時点引くＺ値以降の時点でＣＳＩ−ＲＳが設定（即ち、送信設定）されるか、トリガリング（ｔｒｉｇｇｅｒｉｎｇ）されるか、又は活性化され得る。この場合、端末は、該当ＣＳＩ報告のためのチャネル又は干渉推定値を算出するとき、該当ＣＳＩ−ＲＳから算出された推定値（又は測定値）を無視してもよい。ここで、ＣＳＩ報告のために用いられるＣＳＩ−ＲＳリソースは、該当ＣＳＩ報告に対する基準リソース（ｒｅｆｅｒｅｎｃｅ  ｒｅｓｏｕｒｃｅ）と称されてもよく、Ｚ値は基準リソースを設定するためのパラメータであり得る。
【０２９８】
但し、以降の時点でＣＳＩ報告（即ち、追加的なＣＳＩ報告）が設定され、該当報告の時点引くＺ値よりも、以前に前記ＣＳＩ−ＲＳが存在する場合、該当時点（即ち、未来時点）におけるＣＳＩ報告では、以前に無視したＣＳＩ−ＲＳからの推定値が用いられ得る。
【０２９９】
言い換えると、基地局によってトリガリングされたＣＳＩ報告の時点を基準に、Ｚ値に該当する以前の（ｐｒｅｖｉｏｕｓ）時間間隔内に存在するＣＳＩ−ＲＳは、該当ＣＳＩ報告に用いられない。例えば、ＣＳＩ報告のトリガリングがｎ番目のスロット（＃ｎ  ｓｌｏｔ）で指示され、ＣＳＩ報告の時点はｎ＋８番目のスロット（＃ｎ＋８  ｓｌｏｔ）で行われるように指示され、Ｚ値は２スロット（２  ｓｌｏｔ）に指示される場合を仮定する。この場合、端末は、ＣＳＩ報告の時点を基準に、Ｚ値に該当する以前の時間間隔内（即ち、＃ｎ＋６  ｓｌｏｔから＃ｎ＋８  ｓｌｏｔ）で受信されるＣＳＩ−ＲＳによって推定された値を無視するように設定され得る。
【０３００】
図１０は、本明細書で提案する方法が適用できるＣＳＩ測定及び報告を行う方法の一例を示す。図１０は、単に説明の便宜のためのものであるだけで、本発明の範囲を制限するものではない。
【０３０１】
図１０を参照すると、端末及び基地局（即ち、ＴＲＰ）は、前述したＣＳＩフレームワークに基づいてＣＳＩ測定手続及び報告手続を行う場合が仮定される。
【０３０２】
図１０の（ａ）は、ＣＳＩ測定及び報告の全般的な手続、及びこれに関する設定値（即ち、Ｘ値、Ｙ値、及びＺ値）を示す。
【０３０３】
図１０の（ａ）に示された「Ｘ」は、前述したＣＳＩ−ＲＳの送信に対するトリガリング／活性化／非活性化の時点と、実際のＣＳＩ−ＲＳの送信との間の時間間隔を示す。一例として、ＣＳＩ−ＲＳ＃１の場合、「Ｘ」は、端末が該当ＣＳＩ−ＲＳのトリガリングに対するＰＤＣＣＨ（即ち、ＤＣＩ）を受信した時点から該当ＣＳＩ−ＲＳを実際に受信した時点までの間隔を意味し得る。
【０３０４】
また、図１０の（ａ）に示された「Ｙ」は、前述したＣＳＩ報告に対するトリガリング／活性化／非活性化の時点と、実際のＣＳＩ報告の時点との間の時間間隔を示す。一例として、「Ｙ」は、端末がＣＳＩ報告に対するトリガリング情報を含むＰＤＣＣＨ（即ち、ＤＣＩ）を受信した時点から該当ＣＳＩ報告を直接行う時点までの間隔を意味し得る。
【０３０５】
また、前述したように、Ｚ値は多様な情報要素に応じて設定され得るものであり、一例として、一定基準（即ち、予め設定された基準）に応じて、ｌｉｇｈｔ  ＣＳＩ（即ち、低い複雑度のＣＳＩ）のための「Ｚ１」と、ｈｅａｖｙ  ＣＳＩ（即ち、高い複雑度のＣＳＩ）のための「Ｚ２」とが設定され得る。
【０３０６】
ここで、ｌｉｇｈｔ  ＣＳＩは、端末によるＣＳＩの処理時間が少なく設定されるＣＳＩを意味し、逆に、ｈｅａｖｙ  ＣＳＩは、ＣＳＩの処理時間が大きく設定されるＣＳＩを意味し得る。例えば、ＣＳＩ測定及び報告に関するアンテナポートの数がＮ個以上であるＣＳＩはｈｅａｖｙ  ＣＳＩに該当し、Ｎ個未満であるＣＳＩはｌｉｇｈｔ  ＣＳＩに該当し得る。
【０３０７】
このとき、トリガリングされたＣＳＩ報告の時点を基準にＺ間隔以内に受信されるＣＳＩ−ＲＳに対する推定値（即ち、ＣＳＩ−ＲＳを用いて測定されたチャネル又は干渉推定値）は、ＣＳＩ報告のための情報に含まれない。即ち、Ｚ値は測定ウィンドウ（ｍｅａｓｕｒｅｍｅｎｔ  ｗｉｎｄｏｗ）と称されてもよく、該当測定ウィンドウ内で受信されたＣＳＩ−ＲＳに対する推定値はＣＳＩ報告で無視されてもよい。
【０３０８】
例えば、Ｚ１に対するＣＳＩ報告がトリガリングされた場合、端末は、以前に受信されたＣＳＩ−ＲＳ＃０に対する推定値及びＣＳＩ−ＲＳ＃１に対する推定値をＣＳＩ報告の情報に含ませ得る。これと異なり、Ｚ２に対するＣＳＩ報告がトリガリングされた場合、端末は、ＣＳＩ−ＲＳ＃１に対する推定値は無視し、ＣＳＩ−ＲＳ＃０に対する推定値のみをＣＳＩ報告の情報に含ませ得る。
【０３０９】
図１０の（ｂ）は、前述した端末の動作に関して簡略化された例を示す。図１０の（ｂ）を参照すると、ＣＳＩ報告の時点（ＣＳＩ  ｒｅｐｏｒｔｉｎｇ  ｉｎｓｔａｎｃｅ）を基準にＺ値以前に受信されたＣＳＩ−ＲＳ １００２は該当ＣＳＩ報告に用いられ、以降に受信されたＣＳＩ−ＲＳ １００４は該当ＣＳＩ報告で無視されてもよい。
【０３１０】
前述した端末の動作は、非周期的ＣＳＩ−ＲＳ及び／又は非周期的ＣＳＩ報告がトリガリングされた場合だけでなく、周期的ＣＳＩ−ＲＳ及び／又は周期的ＣＳＩ報告、半持続的ＣＳＩ−ＲＳ及び／又は半持続的ＣＳＩ報告の場合にも同様に適用され得る。言い換えると、前述した端末の動作は、ＣＳＩ−ＲＳトリガリング（即ち、ＣＳＩ−ＲＳ送信トリガリング）、及びＣＳＩ報告トリガリングの時間領域の動作類型に関係なく適用され得る。
【０３１１】
また、本発明の多様な実施例において、ＣＳＩ−ＲＳのトリガリングとＣＳＩ報告のトリガリングが同じ時点（例：同じスロット又は同じシンボル）に存在する場合、前述した端末の動作の可否を一定基準に応じて決定する方法が考慮され得る。ここで、前記一定基準は、前述したＸ値、Ｙ値、及びＺ値を用いて設定され得る。特に、Ｚ値はＹ値とＸ値との間で保証される必要がある。
【０３１２】
例えば、Ｙ値とＸ値との差の値（ｄｉｆｆｅｒｅｎｃｅ  ｖａｌｕｅ）とＺ値との比較を通じて、前述した端末の動作の可否が決定され得る。
【０３１３】
図１１は、本明細書で提案する方法が適用できるＣＳＩ測定及び報告を行う方法の別の例を示す。図１１は、単に説明の便宜のためのものであるだけで、本発明の範囲を制限するものではない。
【０３１４】
図１１の内容のうち、図１０の内容と重なる構成及び動作に関する説明は省略される。図１１の場合、図１０に示されたことと異なり、ＣＳＩ−ＲＳのトリガリング（具体的に、ＣＳＩ−ＲＳ＃１に対するトリガリング）とＣＳＩ報告のトリガリングがＰＤＣＣＨ（即ち、ＤＣＩ）を介して同時に指示され得る。この場合、二つのトリガリングの指示が一つのＤＣＩを介して指示されるか、又は二つのＤＣＩ（即ち、各々のＤＣＩ）を介して指示されることもある。
【０３１５】
このとき、Ｙ値とＸ値との間の差の値（Ｙ−Ｘ値）と、ＣＳＩ報告に対して設定されたＺ値との比較を通じて、特定のＣＳＩ−ＲＳに対する推定値がＣＳＩ報告の情報に含まれるか否かが決定され得る。
【０３１６】
例えば、ＣＳＩ−ＲＳ＃１の場合に対して、Ｚ１値はＹ−Ｘ値よりも小さく、Ｚ２値はＹ−Ｘ値よりも大きい場合を仮定する。このとき、Ｚ１に対するＣＳＩ報告がトリガリングされた場合、端末は以前に受信されたＣＳＩ−ＲＳ＃０に対する推定値、及びＣＳＩ−ＲＳ＃１に対する推定値をＣＳＩ報告の情報に含ませ得る。これと異なり、Ｚ２に対するＣＳＩ報告がトリガリングされた場合、端末はＣＳＩ−ＲＳ＃１に対する推定値は無視し、ＣＳＩ−ＲＳ＃０に対する推定値のみをＣＳＩ報告の情報に含ませ得る。
【０３１７】
言い換えると、Ｚ値がＹ−Ｘ値よりも大きく設定された場合、該当ＣＳＩ−ＲＳに対する推定値（即ち、チャネル又は干渉推定値）は端末の該当ＣＳＩ報告で無視されてもよい。但し、無視された推定値は、今後の時点におけるＣＳＩ報告（例：予め設定された又は動的にトリガリング／活性化ＣＳＩ報告された）では活用されてもよい。
【０３１８】
参考までに、レガシーＬＴＥシステムの場合、ＣＳＩ報告の情報は、ＣＳＩ報告の時点を基準に規格で決められた時点（例：ｎ−４番目のサブフレーム）以前のＣＳＩ−ＲＳに対する推定値を用いて決定された。反面、前述した端末の動作を介して、ＮＲシステムではより柔軟なＣＳＩ測定及び報告を行うことができる。言い換えると、実際のＣＳＩ−ＲＳの送信の時点（ＣＳＩ−ＲＳ  ｔｒａｎｓｍｉｓｓｉｏｎ  ｉｎｓｔａｎｃｅ）と実際のＣＳＩ報告の時点（ＣＳＩ  ｒｅｐｏｒｔｉｎｇ  ｉｎｓｔａｎｃｅ）を考慮して設定されたＺ値を用いて、画一化した方式（例：ｎ番目のスロットを基準にｎ−４番目のスロット）を介したＣＳＩ報告ではなく、適応的なＣＳＩ報告が可能であるという長所がある。
【０３１９】
また、本発明の多様な実施例において、端末に対するＣＳＩ報告のために前述したＺ値が設定された場合、ＣＳＩ報告設定に含まれた情報要素である測定制限（ｍｅａｓｕｒｅｍｅｎｔ  ｒｅｓｔｒｉｃｔｉｏｎ）の可否に応じて、ＣＳＩ報告のために算出される推定値（又は測定値）が変わり得る。ここで、測定制限の可否は、測定制限のオン（ＯＮ）又はオフ（ＯＦＦ）を示す指示子（ｉｎｄｉｃａｔｏｒ）によって表現され得る。ここで、測定制限がオン（ＯＮ）に設定されることは、端末が複数の時点（ｉｎｓｔａｎｃｅｓ）で送信されたＲＳ（例：ＣＳＩ−ＲＳ）のうち最新の時点で送信されたＲＳによる推定値のみを用いて、チャネルまたは干渉推定を行うように設定されることを意味し得る。
【０３２０】
図１２は、本明細書で提案する方法が適用できるＣＳＩ測定及び報告を行う方法のまた別の例を示す。図１２は、単に説明の便宜のためのものであるだけで、本発明の範囲を制限するものではない。
【０３２１】
図１２を参照すると、ＣＳＩ報告設定を介して前述したＺ値及び測定制限の可否が設定（又は指示）される場合が仮定される。また、トリガリングされたＣＳＩ−ＲＳ  １２０２乃至１２０８は、周期的に送信される場合が仮定されるが、該当方法は、周期的にＣＳＩ−ＲＳが送信される場合にのみ限定されるものではなく、非周期的又は半持続的に送信される場合にも適用できることは勿論である。また、ＣＳＩ報告も非周期的な場合が仮定されるが、これに限定されるものではなく、周期的ＣＳＩ報告又は半持続的ＣＳＩ報告の場合にも該当方法が適用できることは勿論である。
【０３２２】
端末に対してＺ値が設定され、測定制限がオン（ＯＮ）と指示される場合、端末はＣＳＩ報告の時点を基準にＺ値以前の時点（即ち、ＣＳＩ報告の時点−Ｚ）で直近に測定された推定値（チャネル推定値又は干渉推定値）を用いるように設定され得る。例えば、端末はＣＳＩ報告の時点を基準にＺ値に該当する時間間隔以前に受信されたＣＳＩ−ＲＳ １２０２及び１２０４のうち、最近に受信されたＣＳＩ−ＲＳ １２０４のみを用いてＣＳＩの算出を行い得る。
【０３２３】
このとき、ＣＳＩ報告の時点を基準にＺ値に該当する時間間隔以前に最も近いチャネル測定（ｃｈａｎｎｅｌ  ｍｅａｓｕｒｅｍｅｎｔ）用途のＮＺＰ  ＣＳＩ−ＲＳシンボルの位置と干渉測定（ｉｎｔｅｒｆｅｒｅｎｃｅ  ｍｅａｓｕｒｅｍｅｎｔ）用途のＺＰ又はＮＺＰ  ＣＳＩ−ＲＳシンボルの位置が異なり得る。この場合、端末は、チャネル測定及び干渉測定のそれぞれに対して、ＣＳＩ報告の時点を基準にＺ値に該当する時間間隔以前に送信されたＣＳＩ−ＲＳに基づいた測定値を用い得る。
【０３２４】
また、連続的なＣＳＩ−ＲＳがトリガリングされたが、ＣＳＩ報告の時点を基準にＺ値以前の時点に属する推定値が一つのみ存在するか（例：半持続的ＣＳＩ−ＲＳ）又は非周期的ＣＳＩ−ＲＳがＣＳＩ報告の時点を基準にＺ値以前の時点にトリガリングされることもある。この場合、端末は、該当送信の時点のＣＳＩ−ＲＳに対する推定値を基準にＣＳＩの算出を行い得る。
【０３２５】
反面、端末に対してＺ値が設定され、測定制限がオフ（ＯＦＦ）と指示される場合、又はＣＳＩ報告の時点を基準にＺ値以前の時点に多数の推定値が存在する場合（例：半持続的ＣＳＩ−ＲＳ）、端末はＣＳＩ報告の時点を基準にＺ値以前の時点までの一つ又はそれ以上の推定値を用いてＣＳＩの算出を行い得る。言い換えると、測定制限がオフと指示される場合、端末は、ＣＳＩ報告の時点を基準にＺ値に該当する時間間隔以内（即ち、図１２に示された「Ｚ区間」）に受信されるＣＳＩ−ＲＳによって測定された値をＣＳＩ報告時に無視してもよい。即ち、この場合、端末は、ＣＳＩ報告の時点を基準にＺ値に該当する時間間隔以内に受信されるＣＳＩ−ＲＳによって測定された値に応じてＣＳＩ報告値を更新（ｕｐｄａｔｅ）する必要がない。
【０３２６】
このとき、端末は、一つ又はそれ以上の推定値に対して平均値でＣＳＩを算出することができる。特に、端末は、一つ又はそれ以上の推定値に対して、加重平均（ｗｅｉｇｈｔｅｄ  ａｖｅｒａｇｅ）を適用してＣＳＩを算出することもある。この場合、端末は、最近推定されたチャネル（即ち、ＣＳＩ−ＲＳ）に対して高い加重値を適用し得る。
【０３２７】
或いは、端末は一つ又はそれ以上の推定値に基づいてＣＳＩ報告の時点を基準にＺ値以前の時点まで補外法（ｅｘｔｒａｐｏｌａｔｉｏｎ）を行い、推定された値を該当ＣＳＩ報告のためのチャネル推定値又は干渉推定値として用いてもよい。例えば、端末は、ＣＳＩ−ＲＳ  １２０２に対する推定値及びＣＳＩ−ＲＳ  １２０４に対する推定値を算出した後、算出された値に対してＣＳＩ報告の時点−Ｚ時点まで補外法を適用し、予測推定値を算出することができる。ここで、補外法は、特定値の程度に応じて一定時間以降の値を予測推定する解釈技法を意味し得る。
【０３２８】
前述した方法を用いる場合、端末は一定の測定時点が定義された場合よりも、チャネル状態（即ち、接続状態）に対する最新の情報を獲得することができるという長所がある。具体的に、レガシーＬＴＥでは、端末はＣＳＩ報告の時点を基準に一定間隔以前（例：ｎ−４番目のサブフレーム）でのみ測定を行うように設定された。これと比較し、端末のＣＳＩの算出能力を考慮して設定されたＺ値以前までチャネル状態に情報を獲得することができる本発明の提案方法は、レガシーＬＴＥの場合よりも正確な（即ち、最新のチャネル状態が反映された）チャネル（又は干渉）推定値を獲得することができるという長所がある。
【０３２９】
図１３は、本明細書で提案する方法が適用できるＣＳＩを測定及び報告する端末の動作フローチャートを示す。図１３は、単に説明の便宜のためのものであるだけで、本発明の範囲を制限するものではない。
【０３３０】
図１３を参照すると、端末及び基地局は、前述したＣＳＩフレームワークに基づいてＣＳＩ測定手続及び報告手続を行い、この場合、前述した方法それぞれ独立に、又は相互間に結合して用いることが仮定される。
【０３３１】
Ｓ１３０５の段階において、端末はＣＳＩ報告に関するＣＳＩ報告設定情報（ＣＳＩ  ｒｅｐｏｒｔｉｎｇ  ｓｅｔｔｉｎｇ  ｉｎｆｏｒｍａｔｉｏｎ）を受信する。一例として、前述したように、端末は該当ＣＳＩ報告に対するトリガリング情報、即ち、特定のＣＳＩ報告設定に対する情報を受信し得る。特に、該当ＣＳＩ報告が非周期的（ａｐｅｒｉｏｄｉｃ）に設定される場合、端末は前記ＣＳＩ報告設定情報を前記ＣＳＩ報告のトリガリングＤＣＩを介して受信し得る。
【０３３２】
このとき、Ｓ１３０５の段階以前に、端末は基地局からＣＳＩフレームワーク（即ち、ＣＳＩ測定設定、ＣＳＩ報告設定、ＣＳＩ−ＲＳリソース設定）に対する情報を上位層のシグナリングを介して受信し得る。或いは、前記ＣＳＩフレームワークに対する情報は、端末及び基地局に対して予め規格で設定されることもある。この場合、Ｓ１３０５の段階で受信されるＣＳＩ報告設定情報は、予め受信された（又は共有された）ＣＳＩ報告設定のうち特定のＣＳＩ報告設定に対するものであり得る。
【０３３３】
以降、Ｓ１３１０の段階において、端末は一つ以上のＣＳＩ−ＲＳを受信する。これを通じて、端末は受信されたＣＳＩ−ＲＳを用いて、チャネル測定、干渉測定、又はレートマッチングを行うことができる。
【０３３４】
以降、Ｓ１３１５の段階において、端末は前記一つ以上のＣＳＩ−ＲＳの少なくとも一つの特定のＣＳＩ−ＲＳによって推定された測定値を用いて前記ＣＳＩ報告を行う。例えば、端末は受信されたＣＳＩ−ＲＳ＃０及びＣＳＩ−ＲＳ＃１のうちＣＳＩ−ＲＳ＃０に対する推定値のみを用いてＣＳＩ報告を行うことができる。
【０３３５】
このとき、前記少なくとも一つの特定のＣＳＩ−ＲＳは、前記特定値を推定するための測定区間（ｍｅａｓｕｒｅｍｅｎｔ  ｉｎｔｅｒｖａｌ）（又は測定ウィンドウ）を設定する間隔情報（ｇａｐ  ｉｎｆｏｒｍａｔｉｏｎ）（例：前述した「Ｚ」値）及び前記ＣＳＩ報告の実行時点に基づいて決定され得る。例えば、前記少なくとも一つの特定のＣＳＩ−ＲＳは、前記ＣＳＩ報告の実行時点を基準に前記間隔情報によって指示される時点以前に受信され得る。即ち、ＣＳＩ報告に用いられる少なくとも一つの特定のＣＳＩ−ＲＳは、ＣＳＩ報告の実行時点−Ｚ値以前に受信されたＣＳＩ−ＲＳを意味し得る。
【０３３６】
また、前記間隔情報は、前記端末が基地局から受信されたＣＳＩ−ＲＳを用いてＣＳＩ報告を行うために要求される処理時間（ｐｒｏｃｅｓｓｉｎｇ  ｔｉｍｅ）を指示し得る。一例として、前記間隔情報は、前記処理時間（即ち、ＣＳＩ算出時間）に基づいて設定され得る。
【０３３７】
また、前述したように、前記端末は、前記端末の間隔情報を基地局に報告し得る。この場合、前記間隔情報は、前記端末の能力情報（ｃａｐａｂｉｌｉｔｙ  ｉｎｆｏｒｍａｔｉｏｎ）に基づいて決定され得る。
【０３３８】
また、前記間隔情報は、前記基地局によって、前記端末が報告するＣＳＩの類型（ｔｙｐｅ）（例：高い複雑度のＣＳＩ類型、低い複雑度のＣＳＩ類型）を考慮して設定され得る。
【０３３９】
また、前記ＣＳＩ報告設定情報は、前記ＣＳＩ報告に対する測定制限（ｍｅａｓｕｒｅｍｅｎｔ  ｒｅｓｔｒｉｃｔｉｏｎ）の可否を示す指示情報をさらに含み得る。このとき、前記一つ以上のＣＳＩ−ＲＳが周期的又は半持続的に設定されるＣＳＩ−ＲＳに該当する場合、前記指示情報が指示する値に応じて、端末の動作が変わり得る（例：図１２の動作）。
【０３４０】
例えば、前記指示情報がオン（ＯＮ）を指示する場合、前記少なくとも一つの特定のＣＳＩ−ＲＳは、前記ＣＳＩ報告の実行時点を基準に前記間隔情報によって指示される時点以前に受信される最後（ｌａｓｔ）のＣＳＩ−ＲＳに該当し得る。
【０３４１】
これと異なり、前記指示情報がオフ（ＯＦＦ）を指示する場合、前記少なくとも一つの特定のＣＳＩ−ＲＳは、前記ＣＳＩ報告の実行時点を基準に前記間隔情報によって指示される時点以前に受信されるＣＳＩ−ＲＳに該当し得る。即ち、この場合、前記間隔情報によって指示される時点以内（例：Ｚウィンドウ以内）に受信されるＣＳＩ−ＲＳは、前記端末によってＣＳＩ報告で無視されてもよい。
【０３４２】
また、前記一つ以上のＣＳＩ−ＲＳが非周期的ＣＳＩ−ＲＳに該当する場合、前記少なくとも一つの特定のＣＳＩ−ＲＳは、前記ＣＳＩ報告の実行時点を基準に前記間隔情報によって指示される時点以前に受信される非周期的ＣＳＩ−ＲＳに該当し得る。或いは、この場合、全てのＣＳＩ−ＲＳは、前記ＣＳＩ報告の実行時点を基準に前記間隔情報によって指示される時点以前に受信される非周期的ＣＳＩ−ＲＳに該当することもある。
【０３４３】
本発明が適用できる装置一般
【０３４４】
図１４は、本発明の一実施例に係る無線通信装置のブロック構成図を例示する。
【０３４５】
図１４を参照すると、無線通信システムは、基地局（又はネットワーク）１４１０と、端末１４２０とを含む。
【０３４６】
基地局１４１０は、プロセッサ（ｐｒｏｃｅｓｓｏｒ）１４１１、メモリ（ｍｅｍｏｒｙ）１４１２、および通信モジュール（ｃｏｍｍｕｎｉｃａｔｉｏｎ  ｍｏｄｕｌｅ）１４１３を含む。
【０３４７】
プロセッサ１４１１は、前記図１乃至図１３で提案された機能、過程及び／又は方法を具現化する。有／無線インターフェースプロトコルの層は、プロセッサ１４１１によって具現化できる。メモリ１４１２は、プロセッサ１４１１と接続されて、プロセッサ１４１１を駆動するための様々な情報を格納する。通信モジュール１４１３はプロセッサ１４１１と接続され、有線／無線信号を送信及び／又は受信する。
【０３４８】
前記通信モジュール１４１３は、無線信号を送／受信するためのＲＦ部（ｒａｄｉｏ  ｆｒｅｑｕｅｎｃｙ  ｕｎｉｔ）を含み得る。
【０３４９】
端末１４２０は、プロセッサ１４２１、メモリ１４２２及び通信モジュール（またはＲＦ部）１４２３を含む。プロセッサ１４２１は、前記図１乃至図１３で提案された機能、過程及び／又は方法を具現化する。無線インターフェースプロトコルの層は、プロセッサ１４２１によって具現化できる。メモリ１４２２は、プロセッサ１４２１と接続され、プロセッサ１４２１を駆動するための様々な情報を格納する。通信モジュール１４２３はプロセッサ１４２１と接続されて、無線信号を送信及び／又は受信する。
【０３５０】
メモリ１４１２、１４２２は、プロセッサ１４１１、１４２１の内部または外部にあってもよく、よく知られている様々な手段でプロセッサ１４１１、１４２１と接続されてもよい。
【０３５１】
また、基地局１４１０及び／又は端末１４２０は、一つのアンテナ（ｓｉｎｇｌｅ  ａｎｔｅｎｎａ）または複数のアンテナ（ｍｕｌｔｉｐｌｅ  ａｎｔｅｎｎａ）を有し得る。
【０３５２】
図１５は、本発明の一実施例に係る通信装置のブロック構成図を例示する。
【０３５３】
特に、図１５は、前記図１４の端末をより詳細に例示する図である。
【０３５４】
図１５を参照すると、端末は、プロセッサ（またはデジタル信号プロセッサ（ＤＳＰ：ｄｉｇｉｔａｌ  ｓｉｇｎａｌ  ｐｒｏｃｅｓｓｏｒ）１５１０、ＲＦモジュール（ＲＦ  ｍｏｄｕｌｅ）（またはＲＦユニット）１５３５、パワー管理モジュール（ｐｏｗｅｒ  ｍａｎａｇｅｍｅｎｔ  ｍｏｄｕｌｅ）１５０５、アンテナ（ａｎｔｅｎｎａ）１５４０、バッテリー（ｂａｔｔｅｒｙ）１５５５、ディスプレイ（ｄｉｓｐｌａｙ）１５１５、キーパッド（ｋｅｙｐａｄ）１５２０、メモリ（ｍｅｍｏｒｙ）１５３０、ＳＩＭカード（ＳＩＭ（Ｓｕｂｓｃｒｉｂｅｒ  Ｉｄｅｎｔｉｆｉｃａｔｉｏｎ  Ｍｏｄｕｌｅ）ｃａｒｄ）１５２５（この構成は選択的である）、スピーカー（ｓｐｅａｋｅｒ）１５４５、及びマイクロフォン（ｍｉｃｒｏｐｈｏｎｅ）１５５０を含んで構成され得る。端末はまた、単一のアンテナまたは多重のアンテナを含み得る。
【０３５５】
プロセッサ１５１０は、前記図１乃至図１３で提案された機能、過程及び／又は方法を具現化する。無線インターフェースプロトコルの層は、プロセッサ１５１０によって具現化できる。
【０３５６】
メモリ１５３０は、プロセッサ１５１０と接続され、プロセッサ１５１０の動作と関連した情報を格納する。メモリ１５３０は、プロセッサ１５１０の内部または外部にあってもよく、よく知られている様々な手段でプロセッサ１５１０と接続されてもよい。
【０３５７】
ユーザは、例えば、キーパッド１５２０のボタンを押すか（あるいはタッチするか）、またはマイクロフォン１５５０を用いた音声駆動（ｖｏｉｃｅ  ａｃｔｉｖａｔｉｏｎ）によって電話番号などのような命令情報を入力する。プロセッサ１５１０は、このような命令情報を受信し、電話番号に電話をかけるなど、適切な機能を行うように処理する。駆動上のデータ（ｏｐｅｒａｔｉｏｎａｌ  ｄａｔａ）は、ＳＩＭカード１５２５またはメモリ１５３０から抽出することができる。また、プロセッサ１５１０は、ユーザが認知し、また便宜のために、命令情報または駆動情報をディスプレイ１５１５上にディスプレイし得る。
【０３５８】
ＲＦモジュール１５３５は、プロセッサ１５１０に接続されて、ＲＦ信号を送信及び／又は受信する。プロセッサ１５１０は、通信を開始するために、例えば、音声通信データを構成する無線信号を送信するように命令情報をＲＦモジュール１５３５に伝達する。ＲＦモジュール１５３５は、無線信号を受信および送信するために受信機（ｒｅｃｅｉｖｅｒ）及び送信機（ｔｒａｎｓｍｉｔｔｅｒ）で構成される。アンテナ１５４０は、無線信号を送信および受信する機能を実行する。無線信号を受信するとき、ＲＦモジュール１５３５は、プロセッサ１５１０によって処理するために信号を伝達して、基底帯域に信号を変換し得る。処理された信号は、スピーカー１５４５を介して出力される可聴または可読情報に変換され得る。
【０３５９】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取り替えられる。特許請求の範囲で明示的な引用関係がない請求項を結合して実施形態を構成するか、または出願後の補正により新たな請求項に含めることができることは自明である。
【０３６０】
本発明に従う実施形態は、多様な手段、例えば、ハードウェア、ファームウエア（ｆｉｒｍｗａｒｅ）、ソフトウェア、またはそれらの結合などにより具現化できる。ハードウェアによる具現化の場合、本発明の一実施形態は１つまたはその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラー、マイクロコントローラー、マイクロプロセッサなどにより具現化できる。
【０３６１】
ファームウエアやソフトウェアによる具現化の場合、本発明の一実施形態は以上で説明された機能または動作を遂行するモジュール、手続、関数などの形態に具現化できる。ソフトウェアコードはメモリに格納されてプロセッサにより駆動できる。前記メモリは前記プロセッサの内部または外部に位置し、既に公知の多様な手段により前記プロセッサとデータをやり取りすることができる。
【０３６２】
本発明は本発明の必須の特徴を逸脱しない範囲で他の特定の形態に具体化できることは通常の技術者に自明である。従って、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０３６３】
本発明の無線通信システムにおけるチャネル状態情報を測定及び報告する方法は、３ＧＰＰ  ＬＴＥ／ＬＴＥ−Ａシステム、５Ｇに適用される例を中心に説明したが、これ以外にも様々な無線通信システムに適用することが可能である。
【図１】
2020508005.tif 000049
【図２】
2020508005.tif 000050
【図３】
2020508005.tif 000051
【図４】
2020508005.tif 000052
【図５】
2020508005.tif 000053
【図６（ａ）】
2020508005.tif 000054
【図６（ｂ）】
2020508005.tif 000055
【図７】
2020508005.tif 000056
【図８】
2020508005.tif 000057
【図９】
2020508005.tif 000058
【図１０】
2020508005.tif 000059
【図１１】
2020508005.tif 000060
【図１２】
2020508005.tif 000061
【図１３】
2020508005.tif 000062
【図１４】
2020508005.tif 000063
【図１５】
2020508005.tif 000064
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
無線通信システムにおいてＵＥ（User Equipment）がＣＳＩ（channel state information）報告を行う方法において、
前記ＣＳＩ報告に関連するＣＳＩ報告設定情報を受信する過程と、
基地局から、少なくとも一つのＣＳＩ−ＲＳ（CSI-reference signal）を受信する過程と、
前記少なくとも一つのＣＳＩ−ＲＳと前記ＣＳＩ報告設定情報とを用いている測定値に基づいて前記ＣＳＩ報告を行う過程と、を含み、
前記少なくとも一つのＣＳＩ−ＲＳは、前記ＣＳＩ報告のタイミングに対する前記少なくとも一つのＣＳＩ−ＲＳのタイミングに関する間隔情報に基づいて決定され、
前記間隔情報は、前記測定値の算出に関連している、方法。
【請求項２】
前記少なくとも一つのＣＳＩ−ＲＳの前記タイミングは、前記ＣＳＩ報告の前記タイミングに対する前記間隔情報によって示される時間インスタンスより前に発生する、請求項１に記載の方法。
【請求項３】
前記間隔情報は、前記ＵＥのために構成されるコードブック類型に基づいて決定される、請求項２に記載の方法。
【請求項４】
前記間隔情報は、前記基地局によって、前記ＵＥが報告するＣＳＩの類型に基づいて設定される、請求項１に記載の方法。
【請求項５】
前記ＵＥのために構成されている前記ＣＳＩ報告に関連した測定制限に基づいて、前記測定値は、前記ＣＳＩ報告の前記タイミングに対する前記間隔情報によって示される時間インスタンスの前に受信された最新のＣＳＩ−ＲＳに基づいて決定される、請求項１に記載の方法。
【請求項６】
前記ＵＥのために構成されていない前記ＣＳＩ報告に関連した前記測定制限に基づいて、前記測定値は、前記少なくとも一つのＣＳＩ−ＲＳを用いることによって算出される一つ以上の値の平均値として決定される、請求項５に記載の方法。
【請求項７】
前記平均値は、前記少なくとも一つのＣＳＩ−ＲＳの各々の受信タイミングに応じて、加重平均を適用して算出される、請求項６に記載の方法。
【請求項８】
前記測定値は、前記少なくとも一つのＣＳＩ−ＲＳを用いることによって算出された前記平均値に基づき、前記ＣＳＩ報告の前記タイミングに対する前記間隔情報によって示される時間インスタンスまで推定される、請求項６に記載の方法。
【請求項９】
非周期的に構成されている前記少なくとも一つのＣＳＩ−ＲＳに基づいて、前記少なくとも一つのＣＳＩ−ＲＳは、前記ＣＳＩ報告の前記タイミングに対する前記間隔情報によって示される時間インスタンスの前に受信される非周期的ＣＳＩ−ＲＳに該当する、請求項１に記載の方法。
【請求項１０】
前記少なくとも一つのＣＳＩ−ＲＳの送信に関連したリソース設定情報を受信する過程をさらに含み、
前記リソース設定情報は、（ｉ）前記ＣＳＩ−ＲＳの前記送信をトリガリングするためのトリガリングタイミングと（ｉｉ）前記ＣＳＩ−ＲＳの送信タイミングとの間の第１時間区間を示す第１オフセット情報を含み、
前記ＣＳＩ報告設定情報は、（ｉ）前記ＣＳＩ報告をトリガリングするためのトリガリングタイミングと（ｉｉ）前記ＣＳＩ報告が行われる前記ＣＳＩ報告の前記タイミングとの間の第２時間区間を示す第２オフセット情報をさらに含む、請求項１に記載の方法。
【請求項１１】
無線通信システムにおいてＣＳＩ（channel state information）報告を行うように構成されたＵＥ（User Equipment）において、
ＲＦ（radio frequency）モジュールと、
少なくとも一つのプロセッサと、
前記少なくとも一つのプロセッサと動作可能に接続可能であり、命令を記憶する少なくとも一つのコンピュータメモリと、を含み、
前記命令は、前記少なくとも一つのプロセッサによって実行されるとき、
前記ＣＳＩ報告に関連するＣＳＩ報告設定情報を受信する過程と、
少なくとも一つのＣＳＩ−ＲＳ（CSI-reference signal）を受信する過程と、
前記少なくとも一つのＣＳＩ−ＲＳと前記ＣＳＩ報告設定情報とを用いることによって測定値に基づいて前記ＣＳＩ報告を行う過程と、を含む動作を行い、
前記少なくとも一つのＣＳＩ−ＲＳは、前記ＣＳＩ報告のタイミングに対する前記少なくとも一つのＣＳＩ−ＲＳのタイミングに関する間隔情報に基づいて決定され、
前記間隔情報は、前記測定値の算出に関連している、ＵＥ。
【請求項１２】
前記少なくとも一つのＣＳＩ−ＲＳの前記タイミングは、前記ＣＳＩ報告の前記タイミングに対する前記間隔情報によって示される時間インスタンスより前に発生する、請求項１１に記載のＵＥ。
【請求項１３】
無線通信システムにおいてＣＳＩ（channel state information）報告を受信するように構成された基地局において、
ＲＦ（radio frequency）モジュールと、
少なくとも一つのプロセッサと、
前記少なくとも一つのプロセッサと動作可能に接続可能であり、命令を記憶する少なくとも一つのコンピュータメモリと、を含み、
前記命令は、前記少なくとも一つのプロセッサによって実行されるとき、
前記ＣＳＩ報告に関連するＣＳＩ報告設定情報を送信する過程と、
少なくとも一つのＣＳＩ−ＲＳ（CSI-reference signal）を送信する過程と、
前記少なくとも一つのＣＳＩ−ＲＳと前記ＣＳＩ報告設定情報とを用いることによって測定値に基づいて行われる前記ＣＳＩ報告を受信する過程と、を含む動作を行い、
前記少なくとも一つのＣＳＩ−ＲＳは、前記ＣＳＩ報告のタイミングに対する前記少なくとも一つのＣＳＩ−ＲＳのタイミングに関する間隔情報に基づいて決定され、
前記間隔情報は、前記測定値の算出に関連している、基地局。
【請求項１４】
前記少なくとも一つのＣＳＩ−ＲＳの前記タイミングは、前記ＣＳＩ報告の前記タイミングに対する前記間隔情報によって示される時間インスタンスより前に発生する、請求項１３に記載の基地局。
【手続補正書】
【提出日】令和1年11月5日(2019.11.5)
【手続補正１】
【補正対象書類名】明細書
【補正対象項目名】００２４
【補正方法】変更
【補正の内容】
【００２４】
本発明の実施例によれば、以下に説明される一つまたはそれ以上の効果が存在し得る。
本発明の実施例に係ると、端末別に（例：端末の能力に応じて）ＣＳＩ報告の測定値を算出するための時間間隔（ｔｉｍｅ  ｇａｐ）を設定することによって、画一化されない柔軟なＣＳＩ測定及び報告が行われることができるという効果がある。
【手続補正２】
【補正対象書類名】明細書
【補正対象項目名】０２２２
【補正方法】変更
【補正の内容】
【０２２２】
ＣＳＩフレームワークは、ＣＳＩ報告設定（ＣＳＩ  ｒｅｐｏｒｔｉｎｇ  ｓｅｔｔｉｎｇ）、リソース設定（ｒｅｓｏｕｒｃｅ  ｓｅｔｔｉｎｇ）、及びＣＳＩ測定設定（ＣＳＩ  ｍｅａｓｕｒｅｍｅｎｔ  ｓｅｔｔｉｎｇ）を用いて、ＣＳＩ関連手続を規定することを意味し得る。これは、レガシーＬＴＥシステムのような他のシステムのように、ＣＳＩ関連手続がＣＳＩプロセス（ＣＳＩ  ｐｒｏｃｅｓｓ）の形態のみで規定されたこととは異なり得る。これを通じて、ＮＲシステムでは、ＣＳＩ関連手続はチャネル状況及び／又はリソースの状況に合わせて、より柔軟な（ｆｌｅｘｉｂｌｅ）方式で行われ得る。
【手続補正３】
【補正対象書類名】明細書
【補正対象項目名】０２４３
【補正方法】変更
【補正の内容】
【０２４３】
このとき、Ｎ−ポートのＣＳＩ−ＲＳリソースのＣＳＩ−ＲＳ  ＲＥマッピングのパターンは、同一であるかさらに少ないポートの数（例：２、４、又は８）のＣＳＩ−ＲＳリソースの一つ又はそれ以上のＣＳＩ−ＲＳマッピングのパターンで構成され得る。ここで、ＣＳＩ−ＲＳのＲＳマッピングのパターンはスロット内で定義され得るものであり、多数の設定可能な連続的／非連続的ＯＦＤＭシンボルにわたり得る（ｓｐａｎ）。
【手続補正４】
【補正対象書類名】明細書
【補正対象項目名】０２４６
【補正方法】変更
【補正の内容】
【０２４６】
次に、ＣＳＩ測定設定は、端末がＣＳＩ報告のために特定のＣＳＩ報告設定とこれにマッピングされた特定のリソース設定に対してどんな測定を行うかを示す設定情報を意味し得る。例えば、ＣＳＩ測定設定は、ＣＳＩ報告設定とリソース設定間のリンク関係に対する情報を含み、各リンク（ｌｉｎｋ）に対する測定類型を示す情報を含み得る。また、測定類型は、チャネル測定（ｃｈａｎｎｅｌ  ｍｅａｓｕｒｅｍｅｎｔ）、干渉測定（ｉｎｔｅｒｆｅｒｅｎｃｅ  ｍｅａｓｕｒｅｍｅｎｔ）、レートマッチング（ｒａｔｅ  ｍａｔｃｈｉｎｇ）等を意味し得る。
【手続補正５】
【補正対象書類名】明細書
【補正対象項目名】０２５６
【補正方法】変更
【補正の内容】
【０２５６】
第１実施例−リソース設定（ｒｅｓｏｕｒｃｅ  ｓｅｔｔｉｎｇ）のための方法
【手続補正６】
【補正対象書類名】明細書
【補正対象項目名】０２６２
【補正方法】変更
【補正の内容】
【０２６２】
また、リソース設定には、ＣＳＩ−ＲＳタイミングオフセット（以下、「Ｘ」と称する）が含まれ得る。ここで、ＸはＣＳＩ−ＲＳの送信に対するトリガリング／活性化／非活性化時点（タイミング、インスタンス）と実際のＣＳＩ−ＲＳの送信時点との間の時間間隔（ｔｉｍｅ  ｇａｐ）を称することができる。
【手続補正７】
【補正対象書類名】明細書
【補正対象項目名】０２６４
【補正方法】変更
【補正の内容】
【０２６４】
本発明の多様な実施例において、Ｘがネットワーク（即ち、基地局）によって設定されると、Ｘの候補値は上位層のメッセージ（例：ＲＲＣメッセージ）によって指示され、ＣＳＩフレームワーク上でリソース設定に含まれ得る。ここで、Ｘは設定可能なように支援される場合が仮定される。ここで、Ｘの候補値は、一定基準に応じて（又は規格（ｓｔａｎｄａｒｄ）に応じて）予め設定されたＸ値を意味し得る。例えば、Ｘが特定値（例：０）に設定されるのではなく、状況（又はサービス（ｓｅｒｖｉｃｅ））に応じて異なって利用され得る値（例：０、１、２）に設定され得る。
【手続補正８】
【補正対象書類名】明細書
【補正対象項目名】０２６５
【補正方法】変更
【補正の内容】
【０２６５】
具体的な例として、端末は基地局からビーム管理のためのＸ値として「１」を指示されることができる。これによって、ＣＳＩ−ＲＳの送信が特定時点にトリガリングされた場合、該当端末は、特定時点を基準に「１」に該当する時間間隔（例：２スロット）以降にＣＳＩ−ＲＳが送信されることを認識することができる。
【手続補正９】
【補正対象書類名】明細書
【補正対象項目名】０２６６
【補正方法】変更
【補正の内容】
【０２６６】
或いは、具体的な例として、短い遅延（ｌａｔｅｎｃｙ）を要求するサービス（例：ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ））では、Ｘ値が他のサービスに比べて短く設定されることもある。
【手続補正１０】
【補正対象書類名】明細書
【補正対象項目名】０２７０
【補正方法】変更
【補正の内容】
【０２７０】
第２実施例−ＣＳＩ測定設定（ＣＳＩ  ｍｅａｓｕｒｅｍｅｎｔ  ｓｅｔｔｉｎｇ）のための方法
【手続補正１１】
【補正対象書類名】明細書
【補正対象項目名】０２７１
【補正方法】変更
【補正の内容】
【０２７１】
次に、前述したＣＳＩ測定設定に関して、ＮＲシステムに適用され得る本明細書の実施例によれば、チャネル測定のための非周期的／半持続的／周期的リソース設定と干渉測定のための非周期的／半持続的／周期的リソース設定間の任意の組み合わせを支援する柔軟な測定設定（ｆｌｅｘｉｂｌｅ  ｍｅａｓｕｒｅｍｅｎｔ  ｓｅｔｔｉｎｇ）が可能であり得る。
【手続補正１２】
【補正対象書類名】明細書
【補正対象項目名】０２７２
【補正方法】変更
【補正の内容】
【０２７２】
例えば、半持続的ＣＳＩ報告又は周期的ＣＳＩ報告を考慮したとき、Ｌ１／Ｌ２制御シグナリングを回避又は最小化するために、半持続的又は周期的干渉測定用リソース（例：ＺＰ  ＣＳＩ−ＲＳ及びＮＺＰ  ＣＳＩ−ＲＳ）が活用され得る。また、非周期的ＣＳＩ−ＲＳの設定は、非周期的ＣＳＩ報告のための半持続的又は周期的干渉測定用リソースと関連付けることができる。逆に、半持続的又は周期的ＣＳＩ＿ＲＳは、非周期的ＣＳＩ報告のための非周期的干渉測定用リソースと関連付けることができる。
【手続補正１３】
【補正対象書類名】明細書
【補正対象項目名】０２７４
【補正方法】変更
【補正の内容】
【０２７４】
また、本発明の多様な実施例において、ＣＳＩ測定設定内の特定リソース（即ち、リソース設定）がデータチャネル（例：ＮＲ−ＰＤＳＣＨ）の復調時のレートマッチングの用途に設定されることもある。例えば、レガシーＬＴＥシステムのＺＰ  ＣＳＩ−ＲＳのように、該当ＣＳＩ−ＲＳリソースが与える（又は受ける）干渉が大きいと判断される場合、基地局は該当リソースをヌリング（ｎｕｌｌｉｎｇ）する用途に設定し得る。これを通じて、該当指示を受ける端末のチャネル測定又は干渉測定の際に発生可能な干渉の程度が効率的に制御され得る。
【手続補正１４】
【補正対象書類名】明細書
【補正対象項目名】０２７５
【補正方法】変更
【補正の内容】
【０２７５】
第３実施例−ＣＳＩ報告設定（ＣＳＩ  ｒｅｐｏｒｔｉｎｇ  ｓｅｔｔｉｎｇ）のための方法
【手続補正１５】
【補正対象書類名】明細書
【補正対象項目名】０２７６
【補正方法】変更
【補正の内容】
【０２７６】
次に、前述したＣＳＩ報告設定に関して、ＮＲシステムに適用され得る本明細書の実施例は、非周期的ＣＳＩ報告、半持続的ＣＳＩ報告、及び周期的ＣＳＩ報告を支援し得る。
【手続補正１６】
【補正対象書類名】明細書
【補正対象項目名】０２７８
【補正方法】変更
【補正の内容】
【０２７８】
まず、ＣＳＩ獲得のためのＣＳＩ−ＲＳリソースが特定の測定設定で指示される場合、該当ＣＳＩ報告の内容は、ＬＴＥシステム（特に、ｅＦＤ−ＭＩＭＯ  ＷＩ）のような一部のシステムで支援される既存のＣＳＩ報告類型であり得る。
【手続補正１７】
【補正対象書類名】明細書
【補正対象項目名】０２８０
【補正方法】変更
【補正の内容】
【０２８０】
また、ＣＳＩ報告設定には、ＣＳＩ報告オフセット（ＣＳＩ  ｒｅｐｏｒｔｉｎｇ  ｏｆｆｓｅｔ）（以下、「Ｙ」と称する）が含まれ得る。ここで、ＹはＣＳＩ報告に対するトリガリング／活性化／非活性化の時点と、実際のＣＳＩ報告の時点（ＣＳＩ−ＲＳ  ｒｅｐｏｒｔｉｎｇ  ｉｎｓｔａｎｃｅ  ｏｒ  ｔｉｍｉｎｇ）との間の時間間隔を称することができる。
【手続補正１８】
【補正対象書類名】明細書
【補正対象項目名】０２８２
【補正方法】変更
【補正の内容】
【０２８２】
前記Ｙ値は、スロットの数（即ち、スロット単位）又はシンボルの数（即ち、シンボル単位）で表され得るものであり、システム上で予め設定されているか、又はネットワーク（例：基地局）によって設定（又は指示）されることもある。
【手続補正１９】
【補正対象書類名】明細書
【補正対象項目名】０２８６
【補正方法】変更
【補正の内容】
【０２８６】
端末のＣＳＩ測定及び報告に関して、前記Ｙ値と別に、該当端末が実際のＣＳＩ−ＲＳを受信した時点を基準にＣＳＩ報告を行うために要求される最小の時間間隔（以下「Ｚ」と称する）が考慮され得る。
【手続補正２０】
【補正対象書類名】明細書
【補正対象項目名】０２８７
【補正方法】変更
【補正の内容】
【０２８７】
このような最小の時間間隔Ｚは、端末が基地局（例：ｅＮＢ）からＣＳＩ−ＲＳを受信しても、指示された（即ち、トリガリングされた）ＣＳＩ報告の時点より先立ったＣＳＩ−ＲＳに対する測定を行うことができないシナリオで発生し得る問題を緩和するために実現され得る。
【手続補正２１】
【補正対象書類名】明細書
【補正対象項目名】０２８８
【補正方法】変更
【補正の内容】
【０２８８】
ここで、前記最小の時間間隔Ｚは、端末が基地局から受信されたＣＳＩ−ＲＳを用いてＣＳＩを報告するために要求される処理時間間隔を意味し得る。例えば、前記Ｚは、ＣＳＩ−ＲＳ送信の時点に対してＣＳＩ報告の時点間の最小の時間間隔（ｍｉｎｉｍｕｍ  ｔｉｍｅ  ｇａｐ）に該当し得る。また、前記Ｚは、ＣＳＩ報告に対する測定値を生成するための測定区間（ｍｅａｓｕｒｅｍｅｎｔ  ｉｎｔｅｒｖａｌ）（又は測定間隔（ｍｅａｓｕｒｅｍｅｎｔ  ｇａｐ））を設定する間隔情報（ｇａｐ  ｉｎｆｏｒｍａｔｉｏｎ）にも該当し得る。
【手続補正２２】
【補正対象書類名】明細書
【補正対象項目名】０２８９
【補正方法】変更
【補正の内容】
【０２８９】
一例として、端末が基地局によってトリガリングされたＣＳＩ報告を行う時点を基準に、前記最小の時間間隔Ｚ内（例：Ｚウィンドウ（Ｚ  ｗｉｎｄｏｗ）内）でＣＳＩ−ＲＳを受信する場合、当該端末は、前記ＣＳＩ−ＲＳに対して正確な測定を行う時間が不十分であり得るし、これによって、該当ＣＳＩ報告で前記ＣＳＩ−ＲＳは用いられないことがある。
【手続補正２３】
【補正対象書類名】明細書
【補正対象項目名】０２９０
【補正方法】変更
【補正の内容】
【０２９０】
このような場合を緩和するために、前記Ｚ値は、該当端末でＣＳＩ報告に要求されるＣＳＩ算出時間（即ち、ＣＳＩ処理時間（ＣＳＩ  ｐｒｏｃｅｓｓｉｎｇ  ｔｉｍｅ））を考慮して設定され得る。例えば、前記Ｚ値は、ＣＳＩ算出処理時間を決定する情報要素に応じて設定され得る。
【手続補正２４】
【補正対象書類名】明細書
【補正対象項目名】０２９１
【補正方法】変更
【補正の内容】
【０２９１】
具体的な例として、前記Ｚ値は、ＣＳＩ報告設定のパラメータ（例：ＣＳＩパラメータ、ＣＳＩ類型、ＣＳＩコードブック類型、コードブックのサイズ、及びコードブックの集合（又はサブ集合）の制限を含むコードブック設定情報、ＣＱＩ及びＰＭＩに対する周波数細分性（ｆｒｅｑｕｅｎｃｙ  ｇｒａｎｕｌａｒｉｔｙ）等）及び端末の能力（ＵＥ  ｃａｐａｂｉｌｉｔｙ）（例：ＵＥ  ｃｏｍｐｕｔａｔｉｏｎ  ｃａｐａｂｉｌｉｔｙ）のような様々なパラメータ（等）に応じて設定され得る。
【手続補正２５】
【補正対象書類名】明細書
【補正対象項目名】０３３１
【補正方法】変更
【補正の内容】
【０３３１】
Ｓ１３０５の段階において、端末はＣＳＩ報告に関するＣＳＩ報告設定情報（ＣＳＩ  ｒｅｐｏｒｔｉｎｇ  ｓｅｔｔｉｎｇ  ｉｎｆｏｒｍａｔｉｏｎ）を受信する。一例として、前述したように、端末は該当ＣＳＩ報告をトリガリングするトリガリング情報、即ち、特定のＣＳＩ報告設定に対する情報を受信し得る。特に、該当ＣＳＩ報告が非周期的（ａｐｅｒｉｏｄｉｃ）に設定される場合、端末は前記ＣＳＩ報告設定情報を前記ＣＳＩ報告のトリガリングＤＣＩを介して受信し得る。
【手続補正２６】
【補正対象書類名】明細書
【補正対象項目名】０３３５
【補正方法】変更
【補正の内容】
【０３３５】
このとき、前記少なくとも一つの特定のＣＳＩ−ＲＳは、前記特定値を推定するための測定区間（ｍｅａｓｕｒｅｍｅｎｔ  ｉｎｔｅｒｖａｌ）（又は測定ウィンドウ）を設定する間隔情報（ｇａｐ  ｉｎｆｏｒｍａｔｉｏｎ）（例：前述した「Ｚ」値）及び前記ＣＳＩ報告の実行時点に基づいて決定され得る。例えば、前記少なくとも一つの特定のＣＳＩ−ＲＳは、前記ＣＳＩ報告の実行時点を基準に前記間隔情報によって指示される時点以前に受信され得る。即ち、ＣＳＩ報告に用いられる少なくとも一つの特定のＣＳＩ−ＲＳは、（ＣＳＩ報告の実行時点−Ｚ値）以前に受信されたＣＳＩ−ＲＳを意味し得る。
【手続補正２７】
【補正対象書類名】明細書
【補正対象項目名】０３４０
【補正方法】変更
【補正の内容】
【０３４０】
例えば、前記指示情報がオン（ＯＮ）を指示する場合、前記少なくとも一つの特定のＣＳＩ−ＲＳは、前記ＣＳＩ報告の実行時点を基準に前記間隔情報によって指示される時点以前に受信される最後（ｌａｓｔ）のＣＳＩ−ＲＳ（即ち、最新のＣＳＩ−ＲＳ）に該当し得る。
【手続補正２８】
【補正対象書類名】特許請求の範囲
【補正対象項目名】全文
【補正方法】変更
【補正の内容】
【特許請求の範囲】
【請求項１】
無線通信システムにおける端末がチャネル状態情報（ＣＳＩ（channel state information））報告を行う方法において、
前記ＣＳＩ報告に関するＣＳＩ報告設定情報を受信する過程と、
基地局から、少なくとも一つのチャネル状態情報参照信号（ＣＳＩ−ＲＳ（CSI-reference signal））を受信する過程と、
前記少なくとも一つのＣＳＩ−ＲＳ及び前記ＣＳＩ報告設定情報を用いて、測定値に基づいて前記ＣＳＩ報告を行う過程と、を含み、
前記少なくとも一つのＣＳＩ−ＲＳは、前記ＣＳＩ報告の時点を基準に前記少なくとも一つのＣＳＩ−ＲＳの時点と関連した間隔情報に基づいて決定され、
前記間隔情報は、前記測定値の算出と関連することを特徴とする、方法。
【請求項２】
前記少なくとも一つのＣＳＩ−ＲＳの時点は、前記ＣＳＩ報告の時点を基準に前記間隔情報によって指示される時間インスタンス以前に発生することを特徴とする、請求項１に記載の方法。
【請求項３】
前記間隔情報は、前記端末に対して設定されたコードブック類型を考慮して決定されることを特徴とする、請求項２に記載の方法。
【請求項４】
前記間隔情報は、前記端末が報告するＣＳＩの類型に基づいて前記基地局により設定されることを特徴とする、請求項１に記載の方法。
【請求項５】
前記端末に対して前記ＣＳＩ報告と関連した測定制限に基づき、前記測定値は、前記ＣＳＩ報告の実行時点を基準に前記間隔情報によって指示される時間インスタンス以前に受信される最新のＣＳＩ−ＲＳに基づいて決定されることを特徴とする、請求項１に記載の方法。
【請求項６】
前記端末に対して前記ＣＳＩ報告と関連して設定されなかった測定制限に基づき、前記測定値は、前記少なくとも一つのＣＳＩ−ＲＳを用いて算出された一つ以上の値の平均値に決定されることを特徴とする、請求項５に記載の方法。
【請求項７】
前記測定値は、前記少なくとも一つのＣＳＩ−ＲＳを用いて算出された少なくとも一つの値の平均値であることを特徴とする、請求項６に記載の方法。
【請求項８】
前記平均値は、前記少なくとも一つのＣＳＩ−ＲＳの各々の受信時点に応じて、加重平均を適用して算出されることを特徴とする、請求項７に記載の方法。
【請求項９】
前記測定値は、前記少なくとも一つのＣＳＩ−ＲＳによって算出された平均値に基づき、前記ＣＳＩ報告の時点を基準に前記間隔情報によって指示される時間インスタンスまで推定されることを特徴とする、請求項６に記載の方法。
【請求項１０】
非周期的に設定される前記少なくとも一つのＣＳＩ−ＲＳに基づき、前記少なくとも一つのＣＳＩ−ＲＳは、前記ＣＳＩ報告の時点を基準に前記間隔情報によって指示される時間インスタンス以前に受信される非周期的ＣＳＩ−ＲＳに該当することを特徴とする、請求項１に記載の方法。
【請求項１１】
前記少なくとも一つのＣＳＩ−ＲＳの送信に関するリソース設定情報を受信する過程をさらに含み、
前記リソース設定情報は、ｉ）ＣＳＩ−ＲＳの送信をトリガリングするトリガリング時点と、ｉｉ）ＣＳＩ−ＲＳの送信時点との間の間隔を指示する第１時間間隔情報を含み、
前記ＣＳＩ報告設定情報は、ｉ）ＣＳＩ報告をトリガリングするトリガリング時点と、ｉｉ）ＣＳＩ報告が行われる時点との間の間隔を指示する第２時間間隔情報をさらに含むことを特徴とする、請求項１に記載の方法。
【請求項１２】
無線通信システムにおけるチャネル状態情報（ＣＳＩ（channel state information））報告を行う端末において、
無線信号を送受信するための送受信部と、
少なくとも一つのプロセッサと、
前記一つ以上のプロセッサに動作可能に接続可能であり、前記一つ以上のプロセッサにより実行されるとき、動作を行う指示を格納する一つ以上のメモリと、を備え、
前記動作は、
前記ＣＳＩ報告に関するＣＳＩ報告設定情報を受信する段階と、
基地局から、少なくとも一つのチャネル状態情報参照信号（ＣＳＩ−ＲＳ（CSI-reference signal））を受信する段階と、
前記少なくとも一つのＣＳＩ−ＲＳ及び前記ＣＳＩ報告設定情報を用いて、測定値に基づいて前記ＣＳＩ報告を行う段階と、を含み、
前記少なくとも一つのＣＳＩ−ＲＳは、前記ＣＳＩ報告の時点を基準に前記少なくとも一つのＣＳＩ−ＲＳの時点と関連した間隔情報に基づいて決定され、
前記間隔情報は、前記測定値の算出と関連することを特徴とする、端末。
【請求項１３】
前記少なくとも一つのＣＳＩ−ＲＳの時点は、前記ＣＳＩ報告の時点を基準に前記間隔情報によって指示される時間インスタンス以前に発生することを特徴とする、請求項１２に記載の端末。
【請求項１４】
無線通信システムにおけるチャネル状態情報（ＣＳＩ（channel state information））報告を受信する基地局において、
無線信号を送受信するための送受信部と、
少なくとも一つ以上のプロセッサに動作可能に接続可能であり、前記一つ以上のプロセッサにより実行されるとき、動作を行う指示を格納する一つ以上のメモリと、を備え、
前記動作は、
前記ＣＳＩ報告と関連したＣＳＩ報告設定情報を送信する段階と、
少なくとも一つのチャネル状態情報参照信号（ＣＳＩ−ＲＳ（CSI-reference signal））を送信する段階と、
前記少なくとも一つのＣＳＩ−ＲＳ及び前記ＣＳＩ報告設定情報を利用して測定値に基づいて前記ＣＳＩ報告を受信する段階と、を含み、
前記少なくとも一つのＣＳＩ−ＲＳは、前記ＣＳＩ報告の時点を基準に前記少なくとも一つのＣＳＩ−ＲＳの時点と関連した間隔情報に基づいて決定され、
前記間隔情報は、前記測定値の算出と関連することを特徴とする、基地局。
【請求項１５】
前記少なくとも一つのＣＳＩ−ＲＳの時点は、前記ＣＳＩ報告の時点を基準に前記間隔情報によって指示される時間インスタンス以前に発生することを特徴とする、請求項１４に記載の基地局。
【国際調査報告】
2020508005.tif 000065
2020508005.tif 000066
2020508005.tif 000067
2020508005.tif 000068